(57)【要約】  薬剤管理装置は、薬剤保管庫（１１）と、作業者を識別するための作業者情報および作業者の作業位置を検出するタグ検出部（１４）と、第１の作業エリアに存在する作業者の作業者情報および作業者の作業位置と、第２の作業エリアに存在する作業者の作業者情報および作業位置を検出するタグ検出部（１４）と、タグ検出部（１４）による検出結果に基づいて、薬剤保管庫（１１）の鍵が施錠されている状態で、第１の作業エリアおよび第２の作業エリアを併せたエリア内に薬剤保管庫（１１）の利用が許可された複数の作業者が存在し、かつ前記複数の作業者のうちの少なくとも一人が第１の作業エリア内に存在するという開錠条件を満たすか否かを判断する管理部（２２）と、管理部（２２）において開錠条件を満たすと判断された場合に、薬剤保管庫（１１）の鍵を開錠可能な状態にする施錠部（１３）とを備える。
2011033756.tif 000002
【特許請求の範囲】
【請求項１】
薬剤保管庫と、作業者を識別するための作業者情報および前記作業者の作業位置を検出する検出部とを備える薬剤管理装置の制御方法であって、
前記薬剤管理装置の設置位置を含む第１の作業エリアと、前記薬剤管理装置を操作する前記作業者を直接視認可能な位置を含む第２の作業エリアとが予め設定されており、
作業者の作業者情報および作業位置を検出する検出ステップと、
前記検出ステップでの検出結果に基づいて、前記薬剤保管庫が施錠されている状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという開錠条件を満たすか否かを判断する開錠条件判断ステップと、
前記開錠条件判断ステップにおいて前記開錠条件を満たすと判断された場合に、前記薬剤保管庫を開錠可能な状態にする開錠ステップとを含む
薬剤管理装置の制御方法。
【請求項２】
さらに、
前記検出ステップでの検出結果に基づいて、前記薬剤保管庫が開錠している状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという作業条件を満たすか否かを判断する作業条件判断ステップと、
前記作業条件判断ステップにおいて前記作業条件を満たさないと判断された場合に、警告信号を発信する警告ステップとを含む
請求項１記載の薬剤管理装置の制御方法。
【請求項３】
さらに、
前記作業条件判断ステップにおいて前記作業条件を満たさないと判断された場合に、前記薬剤保管庫を施錠する施錠ステップを含む
請求項２記載の薬剤管理装置の制御方法。
【請求項４】
前記検出ステップでは、前記作業者が有するＩＤタグに記憶されている作業者情報を非接触で読み取ることにより、前記作業者の作業者情報および作業位置を検出する
請求項１〜３のいずれか１項に記載の薬剤管理装置の制御方法。
【請求項５】
前記検出ステップでは、前記作業者を撮像した画像を解析することにより、前記作業者の作業者情報および作業位置を検出する
請求項１〜３のいずれか１項に記載の薬剤管理装置の制御方法。
【請求項６】
前記薬剤管理装置は、さらに、前記薬剤管理装置の利用を許可する作業者の利用者情報を記憶している利用者登録部を備え、
前記開錠条件判断ステップでは、前記検出ステップにおいて検出された作業者の作業者情報が前記利用者登録部に記憶されているか否かを判断することにより、前記検出ステップにおいて検出された作業者が前記薬剤保管庫の利用が許可された作業者であるか否かを判断する
請求項１〜５のいずれか１項に記載の薬剤管理装置の制御方法。
【請求項７】
前記薬剤管理装置は、さらに、前記薬剤管理装置の利用を許可する作業者の利用者情報を記憶している利用者登録部を備え、
前記作業条件判断ステップでは、前記検出ステップにおいて検出された作業者の作業者情報が前記利用者登録部に記憶されているか否かを判断することにより、前記検出ステップにおいて検出された作業者が前記薬剤保管庫の利用が許可された作業者であるか否かを判断する
請求項２または３に記載の薬剤管理装置の制御方法。
【請求項８】
前記開錠条件判断ステップでは、前記検出ステップでの検出結果に基づいて、前記薬剤保管庫が施錠されている状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという開錠条件を満たすか否かを判断する
請求項１〜７のいずれか１項に記載の薬剤管理装置の制御方法。
【請求項９】
前記薬剤管理装置は、さらに、前記第１の作業エリア内での作業を許可する作業者の利用情報を記憶している第１の認証者登録部と、前記第２の作業エリア内での作業を許可する作業者の利用情報を記憶している第２の認証者登録部とを備え、
前記開錠条件判断ステップは、
前記検出ステップにおいて検出された前記第１の作業エリア内に存在する作業者の作業者情報が前記第１の認証者登録部に記憶されているか否かを判断し、前記第１の作業エリア内に存在する作業者が前記第１の作業エリア内で作業を許可された作業者であるか否かを判断するステップと、
前記検出ステップにおいて検出された前記第２の作業エリア内に存在する作業者の作業者情報が前記第２の認証者登録部に記憶されているか否かを判断し、前記第２の作業エリア内に存在する作業者が前記第２の作業エリア内で作業を許可された作業者であるか否かを判断するステップとを含む
請求項８記載の薬剤管理装置の制御方法。
【請求項１０】
前記作業条件判断ステップでは、前記検出ステップでの検出結果に基づいて、前記薬剤保管庫が開錠している状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという作業条件を満たすか否かを判断する
請求項２または３に記載の薬剤管理装置の制御方法。
【請求項１１】
前記薬剤管理装置は、さらに、前記第１の作業エリア内での作業を許可する作業者の利用情報を記憶している第１の認証者登録部と、前記第２の作業エリア内での作業を許可する作業者の利用情報を記憶している第２の認証者登録部とを備え、
前記作業条件判断ステップは、
前記検出ステップにおいて検出された前記第１の作業エリア内に存在する作業者の作業者情報が前記第１の認証者登録部に記憶されているか否かを判断し、前記第１の作業エリア内に存在する作業者が前記第１の作業エリア内で作業を許可された作業者であるか否かを判断するステップと、
前記検出ステップにおいて検出された前記第２の作業エリア内に存在する作業者の作業者情報が前記第２の認証者登録部に記憶されているか否かを判断し、前記第２の作業エリア内に存在する作業者が前記第２の作業エリア内で作業を許可された作業者であるか否かを判断するステップとを含む
請求項１０記載の薬剤管理装置の制御方法。
【請求項１２】
前記第２の作業エリア内に作業者による監査結果を受け付ける監査装置が設けられており、
薬剤の監査を許可された作業者である監査者が前記第２の作業エリア内に少なくとも一人存在するという監査条件を満たすか否かを判断する監査条件判断ステップと、
前記監査条件判断ステップにおいて前記監査条件を満たすと判断された場合に、前記監査者による監査結果を受け付ける監査結果受け付けステップとを含む
請求項１〜１１のいずれか１項に記載の薬剤管理装置の制御方法。
【請求項１３】
前記監査装置は、前記第２の作業エリア内でかつ前記第１の作業エリア外に設けられており、
前記監査条件判断ステップでは、前記第２の作業エリア内でかつ前記第１の作業エリア外に少なくとも一人の前記監査者が存在するという監査条件を満たすか否かを判断する
請求項１２記載の薬剤管理装置の制御方法。
【請求項１４】
前記第１の作業エリア内からは作業者が前記監査装置を操作できず、かつ前記第２の作業エリアからは作業者が前記薬剤管理装置を操作できないように、前記第１の作業エリアおよび前記第２の作業エリアが予め設定されている
請求項１３記載の薬剤管理装置の制御方法。
【請求項１５】
前記第１の作業エリアと前記第２の作業エリアとの間には、いずれの作業エリアにも属さないエリアが設定されている
請求項１４記載の薬剤管理装置の制御方法。
【請求項１６】
前記薬剤管理装置は、さらに、前記監査結果を受け付ける監査結果受け付け部を備え、
前記第１の作業エリア内に少なくとも一人の薬剤の監査を許可された作業者である監査者が存在するという監査条件を満たすか否かを判断する監査条件判断ステップと、
前記監査条件判断ステップにおいて前記監査条件を満たすと判断された場合に、前記監査者による監査結果を受け付ける監査結果受け付けステップとを含む
請求項１〜１１のいずれか１項に記載の薬剤管理装置の制御方法。
【請求項１７】
前記監査条件判断ステップでは、前記第１の作業エリア内に少なくとも一人の前記監査者が存在し、かつ前記第１の作業エリア内に薬剤の監査を許可されていない作業者が存在しないという監査条件を満たすか否かを判断する
請求項１６記載の薬剤管理装置の制御方法。
【請求項１８】
薬剤を管理する薬剤管理装置であって、
薬剤保管庫と、
作業者を識別するための作業者の作業者情報および作業者の作業位置を検出する検出部と、
前記薬剤管理装置の設置位置を含む第１の作業エリアと、前記薬剤管理装置を操作する前記作業者を直接視認可能な位置を含む第２の作業エリアとが予め設定されており、前記検出部による検出結果に基づいて、前記薬剤保管庫が施錠されている状態で、前記薬剤保管庫の利用が許可された複数の作業者が前記第１の作業エリアおよび前記第２の作業エリアを併せたエリア内に存在し、かつ前記複数の作業者のうちの少なくとも一人が前記第１の作業エリア内に存在するという開錠条件を満たすか否かを判断する管理部と、
前記管理部において前記開錠条件を満たすと判断された場合に、前記薬剤保管庫を開錠可能な状態にする施錠部とを含む
薬剤管理装置。
【請求項１９】
薬剤保管庫と、作業者を識別するための作業者情報および前記作業者の作業位置を検出する検出部とを備える薬剤管理装置を制御するためのプログラムであって、
作業者の作業者情報および作業位置を検出する検出ステップと、
前記薬剤管理装置の設置位置を含む第１の作業エリアと、前記薬剤管理装置を操作する前記作業者を直接視認可能な位置を含む第２の作業エリアとが予め設定されており、前記検出ステップでの検出結果に基づいて、前記薬剤保管庫が施錠されている状態で、前記薬剤保管庫の利用が許可された複数の作業者が前記第１の作業エリアおよび前記第２の作業エリアを併せたエリア内に存在し、かつ前記複数の作業者のうちの少なくとも一人が前記第１の作業エリア内に存在するという開錠条件を満たすか否かを判断する開錠条件判断ステップと、
前記開錠条件判断ステップにおいて前記開錠条件を満たすと判断された場合に、前記薬剤保管庫を開錠可能な状態にする開錠ステップとをコンピュータに実行させるための
プログラム。
【発明の詳細な説明】
【技術分野】
【０００１】
本発明は、病院または薬局で行われる薬剤の取り揃えにおける薬剤の保管を行う薬剤管理装置に関する。
【背景技術】
【０００２】
病院では、様々な病気または怪我を持つ患者に対し医師が診断を行い、治療のために調剤情報を作成する。そして、薬局または調剤室等では、その調剤情報に従い薬剤の取り揃えが行われる。【０００３】
一般に、薬剤の取り揃えは、作業者の手作業で行われている。薬剤の取り揃えには薬剤の自動払い出し機を用いることもできるが、特に慎重な管理が必要な一部の薬剤は作業者の手で行われている。【０００４】
作業者によって行われる薬剤の取り揃えは、人為的作業のため、取り揃え間違いが発生する可能性がある。【０００５】
取り揃え間違いをなくすため、調剤情報を入力すると、調剤情報に記載された薬剤の収納容器が開く、薬剤収納装置がある（例えば、特許文献１を参照）。【０００６】
図１に示すように、特許文献１に記載の薬剤類収納装置１は、調剤箋をバーコードリーダ２で読みとると、扉３または引出４を開き、各収納容器に付設され数字を表示する表示器５、６に取り出す薬剤の個数を表示する。これにより、所望の薬剤の収納箇所が一目瞭然となると同時に、その薬剤を取り出す個数が目の前で案内される。【０００７】
このように薬剤類収納装置１が取り揃え作業を補助することで取り揃え作業は容易になり、間違いを減らすことはできる。ただし、取り揃え作業は人為的作業であるため、取り揃え間違いが発生する可能性は残る。【０００８】
また、取り揃え間違いをなくすため、薬剤の取り揃えを行う作業者（取り揃え者）と、この取り揃え者の作業を監査する作業者（監査者）との二人により、薬剤の取り揃え作業を行うよう内部ルール（ダブルチェック方式）を設定した薬局または調剤室もある。【０００９】
取り揃え者と監査者の二人が薬剤の取り揃えを行うダブルチェック方式は、調剤情報が記録されている書類に、取り揃え者および監査者が押印またはサインをすることでダブルチェックを確実に行うようにしている。
【先行技術文献】
【特許文献】
【００１０】
【特許文献１】特開２００４−１８７９５８号公報
【発明の概要】
【発明が解決しようとする課題】
【００１１】
従来の薬剤管理装置の課題は、人為的にダブルチェック方式による薬剤の承認を行っている点である。【００１２】
書類に取り揃え者および監査者の押印またはサインがあったとしても、押印またはサインは人為的な行為のため、監査者の押印を取り揃え者が行なう可能性がある。【００１３】
つまり、取り揃え者の作業に監査者が立ち会わなくとも、取り揃え者へ作業者の印鑑を預けておけば、書類に取り揃え者および監査者の押印をすることができる。また、取り揃え作業が終わった後に、薬剤の取り揃え内容を確認せずに、まとめて監査者が押印またはサインをすることも可能である。【００１４】
本発明は、このような従来の薬剤管理装置の課題を解決するものであり、確実に薬剤の取り揃え時にダブルチェックを行うことができる薬剤管理装置の制御方法および薬剤管理装置を提供することを目的とする。
【課題を解決するための手段】
【００１５】
この目的を達成するために本発明に係る薬剤管理装置の制御方法は、薬剤保管庫と、作業者を識別するための作業者情報および前記作業者の作業位置を検出する検出部とを備える薬剤管理装置の制御方法であって、前記薬剤管理装置の設置位置を含む第１の作業エリアと、前記薬剤管理装置を操作する前記作業者を直接視認可能な位置を含む第２の作業エリアとが予め設定されており、作業者の作業者情報および作業位置を検出する検出ステップと、前記検出ステップでの検出結果に基づいて、前記薬剤保管庫が施錠されている状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという開錠条件を満たすか否かを判断する開錠条件判断ステップと、前記開錠条件判断ステップにおいて前記開錠条件を満たすと判断された場合に、前記薬剤保管庫を開錠可能な状態にする開錠ステップとを含む。【００１６】
この構成によると、薬剤管理装置の近くに薬剤保管庫の利用が許可された作業者が二人いなければ、薬剤保管庫の鍵が開かない。このため、確実に薬剤の取り揃え時にダブルチェックを行うことができる。【００１７】
好ましくは、上述の薬剤管理装置の制御方法は、さらに、前記検出ステップでの検出結果に基づいて、前記薬剤保管庫が開錠している状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという作業条件を満たすか否かを判断する作業条件判断ステップと、前記作業条件判断ステップにおいて前記作業条件を満たさないと判断された場合に、警告信号を発信する警告ステップとを含む。【００１８】
この構成によると、薬剤の取り揃え作業中に、一人が薬剤管理装置の近くからいなくなると警告が発せられる。このため、薬剤管理装置の近くの作業者が一人のみになることを防止することができる。よって、確実に薬剤の取り揃え時にダブルチェックを行うことができる。【００１９】
さらに好ましくは、上述の薬剤管理装置の制御方法は、さらに、前記作業条件判断ステップにおいて前記作業条件を満たさないと判断された場合に、前記薬剤保管庫を施錠する施錠ステップを含む。【００２０】
この構成によると、薬剤の取り揃え作業中に、一人が薬剤管理装置の近くからいなくなると薬剤保管庫の鍵が閉じる。このため、薬剤管理装置の近くに作業者が一人しかいない状態で薬剤の取り揃えを行うことを防止することができる。【００２１】
また、前記検出ステップでは、前記作業者を撮像した画像を解析することにより、前記作業者の作業者情報および作業位置を検出してもよい。【００２２】
この構成によると、作業者を撮影した画像を利用することで、他者の名札（ＩＤタグ）を用いた成り済ましを防ぐことができる。【００２３】
好ましくは、前記開錠条件判断ステップでは、前記検出ステップでの検出結果に基づいて、前記薬剤保管庫が施錠されている状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという開錠条件を満たすか否かを判断する。【００２４】
この構成によると、第１の作業エリアにおいて作業することが許可された作業者と第２の作業エリアにおいて作業することが許可された作業者とを明確に分けた上で、開錠条件を満たすか否か判断することができる。【００２５】
また、前記作業条件判断ステップでは、前記検出ステップでの検出結果に基づいて、前記薬剤保管庫が開錠している状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという作業条件を満たすか否かを判断してもよい。【００２６】
この構成によると、第１の作業エリアにおいて作業することが許可された作業者と第２の作業エリアにおいて作業することが許可された作業者とを明確に分けた上で、作業条件を満たすか否か判断することができる。【００２７】
好ましくは、前記第２の作業エリア内に作業者による監査結果を受け付ける監査装置が設けられており、薬剤の監査を許可された作業者である監査者が前記第２の作業エリア内に少なくとも一人存在するという監査条件を満たすか否かを判断する監査条件判断ステップと、前記監査条件判断ステップにおいて前記監査条件を満たすと判断された場合に、前記監査者による監査結果を受け付ける監査結果受け付けステップとを含む。【００２８】
この構成によると、薬剤の監査を許可された作業者が第２の作業エリア内にいる場合にのみ、薬剤管理装置は監査結果を受け付けることができる。よって、不正な監査を防止することができる。【００２９】
また、前記監査装置は、前記第２の作業エリア内でかつ前記第１の作業エリア外に設けられており、前記監査条件判断ステップでは、前記第２の作業エリア内でかつ前記第１の作業エリア外に少なくとも一人の前記監査者が存在するという監査条件を満たすか否かを判断してもよい。【００３０】
また、前記第１の作業エリア内からは作業者が前記監査装置を操作できず、かつ前記第２の作業エリアからは作業者が前記薬剤管理装置を操作できないように、前記第１の作業エリアおよび前記第２の作業エリアが予め設定されていてもよい。【００３１】
また、前記第１の作業エリアと前記第２の作業エリアとの間には、いずれの作業エリアにも属さないエリアが設定されていてもよい。【００３２】
薬剤管理装置の位置と監査装置の位置とを明確に分離することができるため、監査装置を操作している作業者を正確に特定することができ、第１の作業エリアにいる作業者が監査を行うという不正な監査を防止することができる。【００３３】
また、前記薬剤管理装置は、さらに、前記監査結果を受け付ける監査結果受け付け部を備え、上述の薬剤管理装置の制御方法は、前記第１の作業エリア内に少なくとも一人の薬剤の監査を許可された作業者である監査者が存在するという監査条件を満たすか否かを判断する監査条件判断ステップと、前記監査条件判断ステップにおいて前記監査条件を満たすと判断された場合に、前記監査者による監査結果を受け付ける監査結果受け付けステップとを含んでいてもよい。【００３４】
この構成によると、薬剤管理装置に監査を行う機能が設けられている場合であって、薬剤の監査を許可された作業者が第１の作業エリア内にいる場合にのみ、薬剤管理装置は監査結果を受け付けることができる。よって、監査者以外の者が監査を行う不正な監査を防止することができる。【００３５】
好ましくは、前記監査条件判断ステップでは、前記第１の作業エリア内に少なくとも一人の前記監査者が存在し、かつ前記第１の作業エリア内に薬剤の監査を許可されていない作業者が存在しないという監査条件を満たすか否かを判断してもよい。【００３６】
この構成によると、第１の作業エリア内にいるのは監査者のみであることが保証される。よって、監査者以外の者が監査を行う不正な監査を、より確実に防止することができる。【００３７】
なお、本発明は、このような特徴的なステップを備える薬剤管理装置の制御方法として実現することができるだけでなく、薬剤管理装置の制御方法に含まれる特徴的なステップを処理部とする薬剤管理装置として実現したり、薬剤管理装置の制御方法に含まれる特徴的なステップをコンピュータに実行させるためのプログラムとして実現したりすることもできる。そして、そのようなプログラムを、ＣＤ−ＲＯＭ（Compact Disc-Read Only Memory）等のコンピュータ読み取り可能な非一時的な記録媒体やインターネット等の通信ネットワークを介して流通させることができるのは、言うまでもない。
【発明の効果】
【００３８】
本発明によると、作業者が二人いなければ薬剤取り揃え作業ができないので、確実に薬剤の取り揃え時にダブルチェックを行うことができる薬剤管理装置の制御方法およびその装置を提供することができる。
【図面の簡単な説明】
【００３９】
【図１】図１は、従来の薬剤収納装置の斜視図である。
【図２】図２は、本発明の実施の形態１における薬剤管理装置の開状態の斜視図である。
【図３】図３は、実施の形態１における薬剤管理装置の閉状態の斜視図である。
【図４】図４は、実施の形態１における名札の正面図である。
【図５】図５は、実施の形態１における薬剤管理装置の機能的な構成を示すブロック図である。
【図６】図６は、利用者登録部に記憶されている薬剤保管庫の利用が許可された作業者の作業者情報の一例を示す図である。
【図７】図７は、監査装置の外観図である。
【図８】図８は、監査装置の機能的な構成を示すブロック図である。
【図９】図９は、実施の形態１における薬剤管理装置の検出エリアを示す図である。
【図１０】図１０は、薬剤管理装置の他の検出エリアを示す図である。
【図１１】図１１は、実施の形態１における薬剤取り揃え開始時に行われる開錠条件の判断処理のフローチャートである。
【図１２】図１２は、開錠条件を満たす場合の作業者の配置の一例を示す図である。
【図１３】図１３は、開錠条件を満たす場合の作業者の配置の一例を示す図である。
【図１４】図１４は、開錠条件を満たさない場合の作業者の配置の一例を示す図である。
【図１５】図１５は、開錠条件を満たさない場合の作業者の配置の一例を示す図である。
【図１６】図１６は、実施の形態１における薬剤取り揃え中に行われる作業条件の判断処理のフローチャートである。
【図１７】図１７は、実施の形態１における薬剤監査中に行われる監査条件の判断処理のフローチャートである。
【図１８】図１８は、本発明の実施の形態２における薬剤管理装置の斜視図である。
【図１９】図１９は、本発明の実施の形態３における薬剤管理装置の機能的な構成を示すブロック図である。
【図２０】図２０は、第１の認証者登録部に登録されている薬剤保管庫の利用が許可された作業者の作業者情報の一例を示す図である。
【図２１】図２１は、第２の認証者登録部に登録されている監査装置の利用が許可された作業者の作業者情報の一例を示す図である。
【図２２】図２２は、実施の形態３における薬剤取り揃え開始時に行われる開錠条件の判断処理のフローチャートである。
【図２３】図２３は、実施の形態３における薬剤取り揃え中に行われる作業条件の判断処理のフローチャートである。
【図２４】図２４は、実施の形態３における薬剤監査中に行われる監査条件の判断処理のフローチャートである。
【図２５】図２５は、薬剤の監査条件を満たす場合の作業者の配置の一例を示す図である。
【図２６】図２６は、薬剤の監査条件を満たさない場合の作業者の配置の一例を示す図である。
【図２７】図２７は、本発明の実施の形態の変形例１における薬剤管理装置の機能的な構成を示すブロック図である。
【図２８】図２８は、開錠条件を満たす場合の作業者の配置の一例を示す図である。
【図２９】図２９は、開錠条件を満たす場合の作業者の配置の一例を示す図である。
【図３０】図３０は、開錠条件を満たさない場合の作業者の配置の一例を示す図である。
【図３１】図３１は、開錠条件を満たさない場合の作業者の配置の一例を示す図である。
【図３２】図３２は、本発明の実施の形態の変形例２における薬剤管理装置の機能的な構成を示すブロック図である。
【図３３】図３３は、薬剤の監査条件を満たす場合の作業者の配置の一例を示す図である。
【図３４】図３４は、薬剤の監査条件を満たさない場合の作業者の配置の一例を示す図である。
【発明を実施するための形態】
【００４０】
以下、本発明を実施するための形態について、図面を参照しながら説明する。なお、以下の説明において、同じ構成には、同じ符号を付して、適宜説明を省略する。
【００４１】
（実施の形態１）
図２は本発明の実施の形態１における薬剤管理装置１０の開状態の斜視図である。ここで、開状態とは、シャッターが開いた状態である。薬剤管理装置１０は、薬剤保管庫１１と、施錠部１３と、タグ検出部１４と、操作部１６とを備える。
【００４２】
薬剤保管庫１１は、薬剤を収納して保管する保管庫である。施錠部１３は、薬剤保管庫１１のシャッター１２を開錠または施錠するためのものである。タグ検出部１４は、複数の作業者が身に付けた複数の名札に埋め込まれた複数のＩＤ（Identification）タグより、同時に非接触で作業者情報および作業位置を検出する。操作部１６は、作業者による薬剤保管庫１１に対する操作を受け付ける。
【００４３】
薬剤保管庫１１は、薬剤を収納した複数の収納容器１５と、この収納容器１５の前面に蓋をするシャッター１２とからなる。
【００４４】
図３は本実施の形態１における薬剤管理装置１０の閉状態の斜視図である。ここで、閉状態とは、シャッター１２が閉じた状態である。図３では、薬剤管理装置１０のシャッター１２を閉じ、さらに施錠部１３によりシャッター１２を施錠している。よって、図３に示す状態では、作業者は、薬剤保管庫１１（収納容器１５）から薬剤を取り出せない。
【００４５】
タグ検出部１４は、非接触型のＩＤタグリーダである。このタグ検出部１４は、作業者の名札に埋め込まれたＩＤタグを読み取り、読取った結果より作業者の作業者情報を検出する。さらに、このタグ検出部１４は、ＩＤタグの存在位置を検出する。
【００４６】
名札に埋め込まれたＩＤタグは、図４に示すように、作業者の名札１８に埋め込まれたＩＣ（Integrated Circuit）１９と、アンテナ２０とから構成されている。ＩＤタグのＩＣ１９の中には、作業者の識別情報等が記録されている。そして、このＩＤタグは、ＵＨＦ（Ultra High Frequency）帯のＲＦＩＤ（Radio Frequency IDentification）タグを使用し、例えば、近接距離３ｍ以内のタグ検出部１４での検出が可能である。
【００４７】
図５は本実施の形態１における薬剤管理装置１０の機能的な構成を示すブロック図である。
【００４８】
図５において、薬剤管理装置１０は、薬剤保管庫１１、施錠部１３、タグ検出部１４、操作部１６に加えて、シャッター駆動部１７と、利用者登録部２１と、管理部２２と、警報信号発信部２３と、利用者記録部２４と、監査信号受信部２５と、監査信号記録部２６とを備える。
【００４９】
シャッター駆動部１７は、施錠部１３の動きに連動してシャッター１２の上げ下げを行う。つまり、施錠部１３がシャッター１２を開錠した場合には、シャッター駆動部１７は、シャッター１２を上げる。また、施錠部１３がシャッター１２を施錠した場合には、シャッター駆動部１７は、シャッター１２を下げる。
【００５０】
利用者登録部２１は、薬剤保管庫１１の利用が許可された作業者の作業者情報をなす作業者番号を記憶している。図６は、利用者登録部２１に記憶されている薬剤保管庫１１の利用が許可された作業者の作業者情報の一例を示す図である。図６に示すように、薬剤保管庫１１の利用が許可された作業者の作業者番号として、「ｘｘｘ」、「ｙｙｙ」および「ｚｚｚ」が記録されている。
【００５１】
管理部２２は、ＩＤタグより検出した作業者情報が示す作業者番号が利用者登録部２１に記録されているかを識別する。
【００５２】
警報信号発信部２３は、警報信号を発信する。
【００５３】
この作業者番号は、タグ検出部１４で検出された作業者情報に含まれる作業者を識別するための番号である。
【００５４】
利用者記録部２４は、薬剤取り揃え作業中の作業者の作業者番号を記録する。
【００５５】
監査信号受信部２５は、後述する監査装置５０より監査結果を示す監査信号を受信する。
【００５６】
監査信号記録部２６は、監査信号受信部２５が受信した監査信号を記録する。
【００５７】
図７は、監査装置５０の外観図である。監査装置５０は、取り揃え者が取り揃えた薬剤に対し、その薬剤の取り揃えに誤りがないかを監査者が監査した結果を入力するための装置である。この監査装置５０は、監査結果入力部５１と、表示部５２とを備えている。監査結果入力部５１は、監査者が監査結果を入力するためのインタフェースであり、例えば、ボタンなどから構成される。表示部５２は、監査結果を表示するためのディスプレイである。
【００５８】
図８は、監査装置５０の機能的な構成を示すブロック図である。監査装置５０は、監査結果入力部５１と表示部５２と制御部５３とを含む。
【００５９】
制御部５３は、監査結果入力部５１が受け付けた監査結果を表示部５２に表示すると共に、監査結果を薬剤管理装置１０に送信する。
【００６０】
次に、薬剤取り揃え作業開始時および薬剤取り揃え作業時において、薬剤管理装置１０が行う処理について簡単に説明する。
【００６１】
図９に示すように薬剤管理装置１０の周囲に、第１の作業エリア３０および第２の作業エリア３１を設定する。第１の作業エリア３０は、薬剤管理装置１０の設置位置を含むエリアである。第２の作業エリア３１は、薬剤管理装置１０を操作する作業者（第１の作業者）とは異なる作業者（第２の作業者）が薬剤管理装置１０を操作する作業者を直接視認可能な位置を含むエリアである。監査装置５０は、薬剤管理装置１０と接続され、第２の作業エリア３１内に設けられているものとする。
【００６２】
例えば、第１の作業エリア３０および第２の作業エリア３１は、図９に示すような薬剤管理装置１０のタグ検出部１４を中心にしたエリアを示す。そして、第２の作業エリア３１の中に第１の作業エリア３０があり、第２の作業エリア３１は第１の作業エリア３０を含む（すなわち、第１の作業エリア３０内にあるものは、必ず第２の作業エリア３１内にもある）。具体的には、タグ検出部１４を中心として、第１の作業エリア３０は半径１ｍの円形のエリア、第２の作業エリア３１は半径５ｍの円形のエリアである。
【００６３】
なお、第２の作業エリア３１は、必ずしも第１の作業エリア３０を含む必要はない。よって、第２の作業エリア３１が第１の作業エリア３０の一部のみ含む場合があってもよいし、また、第１の作業エリア３０が第２の作業エリア３１に含まれない場合があってもよい。このとき、第１の作業エリア３０および第２の作業エリア３１の設定は、第１の作業エリア３０からは監査装置５０を操作できず、かつ第２の作業エリア３１からは薬剤管理装置１０を操作できないようにしてもよい。また、図１０に示すように、互いに一致するエリアを持たない第１の作業エリア３０と第２の作業エリア３１とを設け、かつ第１の作業エリア３０と第２の作業エリア３１との間に緩衝エリア３９を設けてもよい。この緩衝エリア３９は、第１の作業エリア３０および第２の作業エリア３１に属さないエリアである。緩衝エリア３９を設けることにより、第１の作業エリア３０からは監査装置５０を操作できず、かつ第２の作業エリア３１からは薬剤管理装置１０を操作できない配置にすることができる。
【００６４】
この第１の作業エリア３０および第２の作業エリア３１の範囲の設定については、本実施の形態１の薬剤管理装置１０が設置される各病院の内部ルールなどから、適宜設定されることが好ましい。
【００６５】
薬剤管理装置１０は、薬剤取り揃え作業の開始時に、薬剤保管庫１１の利用が許可された作業者が第１の作業エリア３０内に少なくとも一人存在し、かつ第１の作業エリア３０および第２の作業エリア３１を併せたエリア内に薬剤保管庫１１の利用が許可された複数の作業者が存在するという開錠条件を満たすか否かを判断する。開錠条件を満たせば、施錠部１３はシャッター１２を開錠する。そして、作業者は、薬剤保管庫１１を用いて薬剤の取り揃え作業を行うことができる。なお、施錠部１３はシャッター１２を開錠可能な状態にし、実際の開錠は作業者が行うようにしてもよい。
【００６６】
また、薬剤管理装置１０は、シャッター１２が開錠した状態で、薬剤保管庫１１の利用が許可された作業者が第１の作業エリア３０内に少なくとも一人存在し、かつ第１の作業エリア３０および第２の作業エリア３１を併せたエリア内に薬剤保管庫１１の利用が許可された複数の作業者が存在するという作業条件を満たすか否かを判断する。作業条件を満たさない場合には、警報信号発信部２３は警報信号を発信し、一定時間経過後に施錠部１３はシャッター１２を施錠する。警報信号発信部２３が警報信号を発信し、一定時間経過後に施錠部１３がシャッター１２を施錠する場合は、例えば、タグ検出部１４により同時に検出された二人の作業者が、揃って第１の作業エリア３０に同時に検出されなかった場合がある。また、別の場合としては、一方の作業者が第１の作業エリア３０を含み且つ第１の作業エリア３０より広い第２の作業エリア３１で検出されるが、他方の作業者が第１の作業エリア３０で検出されなかった場合である。このため、本実施の形態１の薬剤管理装置１０は、薬剤管理装置１０の近くに作業者が一人しかいない状態で薬剤の取り揃えを行うことを防止することができる。
【００６７】
このような構成とすることで、薬剤保管庫１１の利用が許可された作業者が薬剤管理装置１０の近くに二人いなければ、薬剤保管庫１１が開かず、かつシャッター１２が開錠されない。また、取り揃え作業中に、作業者の一人が薬剤管理装置１０から離れると、警報信号発信部２３より警報信号が発信する。この警報信号により、シャッター１２を下げたり、警報音発信部から警報音を発信したりする。このため、薬剤管理装置１０近傍の作業者が一人になることを防止することができる。
【００６８】
よって、本実施の形態１の薬剤管理装置１０を用いて薬剤取り揃え作業を行うには、必ず二人の作業者が必要であり、確実に二人の作業者によるダブルチェックがなされる。
【００６９】
次に、薬剤管理装置１０を用いた薬剤取り揃え開始時の動作について詳細に説明する。
【００７０】
取り揃え作業が行われていない時、薬剤管理装置１０は、図３のごとくシャッター１２を閉めて、施錠部１３がシャッター１２を施錠している。
【００７１】
薬剤の取り揃え作業を行うには、シャッター１２を開いて、収納容器１５から薬剤を取り出せるようにする必要がある。
【００７２】
第１の作業エリア３０内に、薬剤保管庫１１の利用が許可された作業者（利用者登録部２１に作業者番号が登録されている作業者）が少なくとも一人存在し、かつ第１の作業エリア３０および第２の作業エリア３１を併せたエリア内に薬剤保管庫１１の利用が許可された複数の作業者が存在するという開錠条件を満たすと、施錠部１３は、シャッター１２を開錠する。すると、薬剤管理装置１０の上部に内蔵されたシャッター駆動部１７（図５に示す）が、施錠部１３の動きに連動してシャッター１２を上げる。そして、薬剤管理装置１０において、図２のごとく、シャッター１２は上がり、薬剤保管庫１１の収納容器１５を引き出すことが可能となる。
【００７３】
図１１に示すフローチャートを用いて、薬剤取り揃え開始時に行われる開錠条件の判断処理について説明する。
【００７４】
タグ検出部１４は、検出可能な位置にある作業者の名札１８に埋め込まれたＩＤタグを検出し、ＩＤタグに記録されている作業者番号と検出したＩＤタグの検出位置とを、管理部２２へ送信する（Ｓ１）。この時、同時に複数のＩＤタグの検出が行うことが可能であるが、ここでは二人の作業者のＩＤタグを検出した場合について説明する。
【００７５】
管理部２２は、タグ検出部１４から送られてくる二人に作業者の作業者番号および作業位置が、施錠部１３によるシャッター１２の開錠条件を満たすか否かを判別する（Ｓ２）。
【００７６】
ここで言う、開錠条件とは次の２つの項目を同時に満たすことである。
（開錠条件１）検出された複数の作業者の作業者番号が、いずれも利用者登録部２１に登録されている。
（開錠条件２）検出された複数の作業者の作業位置が第１の作業エリア３０および第２の作業エリア３１を併せたエリア内にあり、そのうちの一人の作業位置が第１の作業エリア３０にある。
【００７７】
ここで、開錠条件を満たす場合と満たさない場合の作業者の配置の一例について説明する。
【００７８】
図１２および図１３は、開錠条件を満たす場合の作業者の配置の一例を示す。
【００７９】
図１２に示すように、作業者番号が利用者登録部２１に登録された作業者が第１の作業エリア３０内に存在し、作業者番号が利用者登録部２１に登録された作業者が第２の作業エリア３１内に存在する場合には、開錠条件を満たすと判断される。
【００８０】
また、図１３に示すように、作業者番号が利用者登録部２１に登録された二人の作業者が第１の作業エリア３０内に存在する場合も、開錠条件を満たすと判断される。
【００８１】
図１４および図１５は、開錠条件を満たさない場合の作業者の配置の一例を示す。
【００８２】
図１４に示すように、作業者番号が利用者登録部２１に登録された二人の作業者が第２の作業エリア３１内であって第１の作業エリア３０外に存在する場合には、開錠条件を満たさないと判断される。つまり、上記（開錠条件２）では、第１の作業エリア３０内に作業者がいることが条件とされているが、その条件を満たしていないため、開錠条件を満たさないと判断される。
【００８３】
また、図１５に示すように、作業者番号が利用者登録部２１に登録された一人の作業者が第１の作業エリア３０内に存在してはいるが、第２の作業エリア３１内に作業者が存在しない場合には、上記（開錠条件１）および（開錠条件２）の条件を満たしていないため、開錠条件を満たさないと判断される。
【００８４】
２つの項目を同時に満たさなければ（Ｓ２でＮＯ）、開錠条件を満たしていないとして、Ｓ１に戻る。そして、管理部２２は、タグ検出部１４から送られてくる作業者番号および作業位置が、開錠条件を満たすか否かの判別を、上述の２つの項目を同時に満たすまで繰り返し行う。
【００８５】
開錠条件を満たしていれば（Ｓ２でＹＥＳ）、管理部２２は施錠部１３へシャッター１２を開錠するように指示を出す（Ｓ３）。施錠部１３は、管理部２２からの指示を受けて、シャッター１２を開錠する。
【００８６】
管理部２２は、シャッター１２を上げて薬剤保管庫１１を開くように、シャッター駆動部１７へ指示を出す（Ｓ４）。シャッター駆動部１７は、管理部２２の指示に従い、シャッター１２を上げて、薬剤管理装置１０を図３に示す状態とする。
【００８７】
管理部２２は、検出された二人の作業者の作業者番号を、利用者記録部２４へ記録する（Ｓ５）。
【００８８】
このように、シャッター１２が開き、収納容器１５から薬剤を取り出すことができるようになると、作業者は薬剤の取り揃えが可能になる。
【００８９】
次に、薬剤管理装置１０を用いた薬剤取り揃え中の動作について説明する。
【００９０】
本実施の形態１では、薬剤管理装置１０を用いて取り揃えを行う場合、作業者が二人存在しなければ、薬剤の取り揃え作業が続けられない構成にしている。具体的には、一人は必ず第１の作業エリア３０に存在し、他の一人は第２の作業エリア３１に存在しなければ、薬剤の取り揃え作業ができなくなる。
【００９１】
よって、本実施の形態１の薬剤管理装置１０を用いて取り揃え作業を行う場合、一人の作業者が取り揃え作業を行い、もう一人の作業者が近くにいる状態になるので、必ず二人の作業者によるダブルチェックがなされるようになる。
【００９２】
図１６に示すフローチャートを用いて、薬剤取り揃え中に行われる作業条件の判断処理について説明する。
【００９３】
タグ検出部１４は、検出可能な距離にある作業者の名札１８に埋め込まれたＩＤタグを検出し、ＩＤタグに記録されている作業者番号と検出したＩＤタグの検出位置とを、管理部２２へ送信する（Ｓ１１）。
【００９４】
この時、同時に複数のＩＤタグの検出を行うことが可能であるが、ここでは二人の作業者のＩＤタグを検出し、二人の作業者番号および作業位置が管理部２２へ送られる。
【００９５】
管理部２２は、タグ検出部１４から送られてくる二人の作業者の作業者番号および作業位置から、薬剤管理装置１０の作業条件（薬剤の取り揃え作業をしてもよい条件）を満たすか否かを判別する（Ｓ１２）。
【００９６】
ここで言う、薬剤管理装置１０の作業条件とは、次の２つの項目を同時に満たすことである。
（作業条件１）検出された複数の作業者の作業者番号が、いずれも利用者記録部２４に記録されている。
（作業条件２）検出された複数の作業者の作業位置が第１の作業エリア３０および第２の作業エリア３１を併せたエリア内にあり、そのうちの一人の作業位置が第１の作業エリア３０にある。
【００９７】
なお、薬剤管理装置１０の作業条件を満たす場合における作業者の配置の一例は、図１２および図１３に示した開錠条件を満たす場合の作業者の配置の一例と同じであるため、その詳細な説明は繰り返さない。また、薬剤管理装置１０の作業条件を満たさない場合における作業者の配置の一例は、図１４および図１５に示した開錠条件を満たさない場合の作業者の配置の一例と同じであるため、その詳細な説明は繰り返さない。
【００９８】
作業条件を満たしていれば（Ｓ１２でＹＥＳ）、管理部２２は、作業終了後に作業者が操作部１６の終了ボタンを押すことにより操作部１６より発信される終了信号の検出を行う（Ｓ１３）。
【００９９】
作業の終了信号を検出しなければ（Ｓ１４でＮＯ）、Ｓ１１に戻り、管理部２２は、薬剤管理装置１０の作業条件を満たしているか否かを、繰り返し判別する。
【０１００】
作業の終了信号を検出すると（Ｓ１４でＹＥＳ）、管理部２２は、シャッター駆動部１７へシャッター１２を下げるように指示を出す（Ｓ１５）。すると、シャッター１２は下がり、薬剤保管庫１１の蓋をする。管理部２２は、施錠部１３へシャッター１２を施錠するように指示を出す（Ｓ１６）。
【０１０１】
作業条件を満たしていなければ（Ｓ１２でＮＯ）、管理部２２は、警報信号発信部２３へ警報信号の発信を指示する（Ｓ１７）。指示を受けた警報信号発信部２３は、警報信号を発信する。管理部２２は、一定時間待機した後（Ｓ１８）、Ｓ１５以降の処理を行なう。
【０１０２】
このように作業条件を満たしていれば、作業者は収納容器１５の中にある薬剤の取出しが可能であり、薬剤の取り揃えを行うことができる。また、作業を終了する時は、作業者は終了ボタンが押すことで、薬剤管理装置１０を閉状態とすることができる。
【０１０３】
なお、管理部２２からの指示により、警報信号発信部２３より警報信号が発信されると、薬剤管理装置１０の警報音発信部（図示せず）へ警報信号が送られ、警報音発信部から警報音が鳴る。警報音が鳴ることで、薬剤管理装置１０の周囲に向けて、二人の作業者による薬剤取り揃えが行われていないことが知らされる。
【０１０４】
また、警報信号発信部２３から警報信号が発信されると、シャッター駆動部１７が警報信号を受けて、自動的にシャッター１２を下げて薬剤保管庫１１を閉じ、さらに、施錠部１３でシャッター１２を施錠して、薬剤の取り揃えができないようにする。
【０１０５】
次に、薬剤管理装置１０および監査装置５０を用いた薬剤監査中の動作について説明する。
【０１０６】
薬剤監査を行う人は、薬剤監査の資格を有する人でなければならない。薬剤監査の資格を有する人とは、例えば薬剤師の資格を有する人である。本実施の形態１では、利用者登録部２１に作業者番号が登録されている作業者は、薬剤師の資格を有するものとする。
【０１０７】
本実施の形態１では、第２の作業エリア３１内に薬剤の監査を許可された作業者である監査者が少なくとも一人存在するという監査条件を満たす場合に、薬剤管理装置１０が監査装置５０による監査結果を受け付ける。なお、薬剤監査と薬剤取り揃えとは、並行して行われる。
【０１０８】
図１７に示すフローチャートを用いて、薬剤監査中に行われる監査条件の判断処理について説明する。
【０１０９】
作業者が監査結果入力部５１を用いて監査結果を入力すると、制御部５３から監査信号受信部２５に対して監査結果を示す監査信号が送信される。
【０１１０】
管理部２２は、監査信号受信部２５が監査信号を受信したか否かを検出する（Ｓ２１）。監査信号を検出していなければ（Ｓ２２でＮＯ）、Ｓ２１に戻る。
【０１１１】
監査信号を検出していれば（Ｓ２２でＹＥＳ）、タグ検出部１４は、検出可能な距離にある作業者の名札１８に埋め込まれたＩＤタグを検出し、ＩＤタグに記録されている作業者番号と検出したＩＤタグの検出位置とを、管理部２２へ送信する（Ｓ２３）。
【０１１２】
この時、同時に複数のＩＤタグの検出を行うことが可能であるが、ここでは二人の作業者のＩＤタグを検出し、二人の作業者番号および作業位置が管理部２２へ送られる。
【０１１３】
管理部２２は、タグ検出部１４から送られてくる二人の作業者の作業者番号および作業位置から、薬剤の監査条件（薬剤の監査をしてもよい条件）を満たすか否かを判別する（Ｓ２４）。
【０１１４】
ここで言う、薬剤の監査条件とは、次の２つの項目を同時に満たすことである。
（監査条件１）第２の作業エリア３１内に少なくとも一人の作業者が存在している。
（監査条件２）第２の作業エリア３１内に存在する少なくとも一人の作業者の作業者番号が、利用者登録部２１に登録されている。
【０１１５】
薬剤の監査条件を満たしていれば（Ｓ２４でＹＥＳ）、管理部２２は、監査信号受信部２５が受信した監査信号を監査信号記録部２６に記録する（Ｓ２５）。これにより、監査者による監査結果が受け付けられる。
【０１１６】
薬剤の監査条件を満たしていなければ（Ｓ２４でＮＯ）、管理部２２は、監査信号受信部２５が受信した監査信号を監査信号記録部２６に記録することはせずに、処理を終了する。
【０１１７】
このように、利用者登録部２１に登録された作業者番号を有する作業者が第２の作業エリア３１内にいる場合にのみ、薬剤管理装置１０は監査結果を受け付けることができる。よって、他者が監査を行う不正な監査を防止することができる。
【０１１８】
なお、監査装置５０を第２の作業エリア３１内でかつ第１の作業エリア３０外に設置することとし、上記（監査条件１）の代わりに、第２の作業エリア３１内でかつ第１の作業エリア３０外に少なくとも一人の作業者が存在していることを条件としても良い。これにより、薬剤管理装置１０の位置と監査装置５０の位置とを明確に分離できるため、監査装置５０を操作している作業者の作業者番号を正確に特定することができる。これにより、他者が監査を行う不正な監査を防止することができる。
【０１１９】
以上説明したように、本実施の形態１に係る薬剤管理装置１０を用いると、所定のエリア内に作業者が二人以上いなければ薬剤取り揃え作業ができない。このため、薬剤の取り揃えが、二人以上の作業者によって確実にダブルチェックされる薬剤管理装置を提供することができる。
【０１２０】
また、本実施の形態１では、薬剤取り揃え中は、取り揃え作業を行わない一方の作業者は第１の作業エリア３０または第２の作業エリア３１にいればよいとしている。このことにより、薬剤取り揃えの監査を行う一方の作業者は、他方の作業者の薬剤取り揃え作業の邪魔にならない位置で監査を行うことができる。
【０１２１】
なお、本実施の形態１においては、薬剤保管庫１１が利用できない状態（収納容器１５から薬剤を取り出せない状態）にするために、シャッター１２を下げて施錠している。しかし、薬剤保管庫１１が利用できない状態、すなわち、薬剤保管庫１１を施錠した状態にするために、シャッター１２を用いず、収納容器１５自体を施錠してもよい。以下の実施の形態も含め、本発明においては、これらを総称して薬剤保管庫１１を施錠する、と称する。
【０１２２】
また、本実施の形態１においては、二人の作業者による薬剤取り揃えが行われていない場合に、警報音により警告している。しかしながら、周囲への警告方法はこの方法に限らず、たとえば、監視所（図示せず）に情報を発信する方法や、薬剤管理装置１０に取り付けられた発光部（図示せず）を発光させる方法などで、警告することが可能である。
【０１２３】
（実施の形態２）
本発明の実施の形態２における薬剤管理装置３３は、カメラ３２の画像により作業者の識別および作業位置の検出を行う。
【０１２４】
前述の実施の形態１の薬剤管理装置１０は、作業者の名札１８に埋め込まれたＩＤタグ等より作業者の識別および作業者の作業位置を検出していたため、他者の名札を利用することで他者に成り済まして作業を行うことが可能である。
【０１２５】
本実施の形態２では、作業者の識別にカメラで撮影された画像を利用することで、他者の名札を利用する成り済ましを防ぐことができる。
【０１２６】
図１８は、本実施の形態２における薬剤管理装置３３の斜視図である。
【０１２７】
薬剤管理装置３３は、薬剤保管庫１１と、薬剤保管庫１１のシャッター１２を開錠および施錠する施錠部１３と、薬剤保管庫１１の前方に立つ作業者を撮影するカメラ３２とを備える。
【０１２８】
薬剤管理装置３３は、さらに、カメラ３２で撮影された画像より二人の作業者の顔画像および作業位置を検出する画像解析部と、薬剤保管庫の利用が許可された顔画像を登録した利用者登録部と、画像解析部で検出された顔画像が利用者登録部に登録されているか否かを識別する管理部と、警報信号を発信する警報信号発信部と、監査装置から監査信号を受信する監査信号受信部と、監査信号受信部が受信した監査信号を記録する監査信号記録部とを備える。なお、画像から作業者の顔画像および作業位置を検出する処理については、従来提案されている手法を用いることができるため、その詳細な説明は省略する。
【０１２９】
薬剤保管庫１１のシャッター１２が施錠されている状態で、画像解析部が２つの顔画像を同時に検出し、検出した２つの顔画像の二人の作業者が揃って利用者登録部に登録されており、一方の作業者の作業位置が第１の作業エリア３０にあり、他方の作業者の作業者位置が第１の作業エリア３０または第２の作業エリア３１にあるという開錠条件を満たせば、施錠部１３は薬剤保管庫１１のシャッター１２を開錠する。
【０１３０】
また、薬剤保管庫１１のシャッター１２が開錠している状態で、画像解析部により２つの顔画像を同時に検出し、検出した２つの顔画像の二人の作業者が揃って利用者登録部に登録されており、一方の作業者の作業位置が第１の作業エリア３０にあり、他方の作業者の作業者位置が第１の作業エリア３０または第２の作業エリア３１にあるという薬剤管理装置３３の作業条件を満たさない場合に、警報信号発信部が警報信号を発信する。
【０１３１】
さらに、画像解析部により２つの顔画像を同時に検出し、検出した２つの顔画像のうちの１つの顔画像の一人の作業者が利用者登録部に登録されており、かつ、第２作業エリアにあるという監査条件を満たす場合に、監査信号受信部が受信した監査信号を、管理部が監査信号記録部に記録する。
【０１３２】
このように、薬剤管理装置３３は、作業者の識別にカメラで撮影された画像を利用することで、他者の名札（ＩＤタグ）を用いた成り済ましを防ぐことができる。
【０１３３】
（実施の形態３）
本発明の実施の形態３における薬剤管理装置４０は、作業者を取り揃え者と監査者に分け、取り揃え者と監査者によるダブルチェックが可能になった時に、取り揃えや監査といった調剤作業が可能になる。
【０１３４】
医療機関では薬剤の取り揃え作業を、取り揃え者と監査者とを明確に分ける場合がある。本実施の形態３の薬剤管理装置４０は、そのような場合にも対応できるようにした薬剤管理装置である。ここで、監査者は、薬剤監査の資格を有する者であり、具体的には、薬剤師の資格を有する者である。
【０１３５】
図１９は、本実施の形態３における薬剤管理装置の機能的な構成を示すブロック図である。
【０１３６】
薬剤管理装置４０は、薬剤保管庫１１と、施錠部１３と、タグ検出部１４とを備える。
【０１３７】
薬剤保管庫１１、施錠部１３およびタグ検出部１４は、前述の実施の形態１に示したのと同様の構成を有するため、その詳細な説明はここでは繰り返さない。
【０１３８】
薬剤管理装置４０は、さらに、第１の認証者登録部４１と、第１の認証者記録部４２と、第２の認証者登録部４４と、第２の認証者記録部４５と、管理部４９と、警報信号発信部２３と、監査信号受信部２５と、監査信号記録部２６とを備える。
【０１３９】
第１の認証者登録部４１は、第１の認証者として薬剤保管庫１１の利用が許可された作業者の作業者情報（作業者番号）を登録している。図２０は、第１の認証者登録部４１に登録されている薬剤保管庫１１の利用が許可された作業者の作業者情報の一例を示す図である。図２０に示すように、薬剤保管庫１１の利用が許可された作業者の作業者番号として、「ｘｘｘ」、「ｙｙｙ」および「ｚｚｚ」が登録されている。
【０１４０】
第１の認証者記録部４２は、薬剤保管庫１１を利用している第１の認証者の作業者情報を記録する。
【０１４１】
第１の判別部４３は、タグ検出部１４で検出された作業者情報が第１の認証者登録部４１、または、第１の認証者記録部４２に登録されているか否かを判別する。
【０１４２】
第２の認証者登録部４４は、第２の認証者として監査装置５０の利用が許可された作業者情報を登録している。図２１は、第２の認証者登録部４４に登録されている監査装置５０の利用が許可された作業者の作業者情報の一例を示す図である。図２１に示すように、監査装置５０の利用が許可された作業者の作業番号として、「ｘｘｘ」および「ｙｙｙ」が登録されている。
【０１４３】
第２の認証者記録部４５は、監査装置５０を利用している第２の認証者の作業者情報を記録する。
【０１４４】
第２の判別部４６は、タグ検出部１４で検出された作業者情報が第２の認証者登録部４４または第２の認証者記録部４５に登録されているか否かを判別する。
【０１４５】
管理部４９は、薬剤管理装置４０を構成する各構成要素を管理するための処理を行なう。管理部４９は、後述する、第１の判別部４３及び第２の判別部４６を含む。
【０１４６】
警報信号発信部２３、監査信号受信部２５および監査信号記録部２６は、実施の形態１に示したのと同様の構成を有するため、その詳細な説明はここでは繰り返さない。
【０１４７】
実施の形態３の薬剤管理装置４０は、薬剤保管庫１１が施錠されている状態で、開錠条件を満たしていれば、施錠部１３は薬剤保管庫１１のシャッター１２を開錠する。開錠条件とは、タグ検出部１４により検出された二人の作業者の作業者情報のうち、一方が第１の認証者登録部４１に登録されると共に、その作業者情報を有する作業者が第１の作業エリアにおり、且つ他方が第２の認証者登録部４４に登録されると共に、その作業者情報を有する作業者が第２の作業エリアにいるという条件である。
【０１４８】
また、本実施の形態３の薬剤保管庫１１のシャッター１２が開錠している状態で、薬剤管理装置１０の作業条件を満たさないと、警報信号発信部２３は警報信号を発信する。この薬剤管理装置１０の作業条件とは、タグ検出部１４により検出された二人の作業者の作業者情報のうち、一方が第１の認証者登録部４１に登録されると共に、その作業者情報を有する作業者が第１の作業エリアにおり、且つ他方が第２の認証者登録部４４に登録されると共に、その作業者情報を有する作業者が第２の作業エリアにいるという条件である。
【０１４９】
さらに、タグ検出部１４により検出された二人の作業者の作業者情報のうち、一人の作業者情報が第２の認証者登録部４４に登録されると共に、その作業者情報を有する作業者が第２の作業エリアにいるという監査条件を満たす場合に、監査信号受信部２５が受信した監査信号を、管理部４９が監査信号記録部２６に記録する。
【０１５０】
なお、上述した第１の認証者とは薬剤取り揃え者であり、第２の認証者とは監査者である。薬剤取り揃え者とは、薬剤管理装置４０を利用して薬剤の取り揃えを行ってもよいと許可を受けた者である。監査者とは、薬剤取り揃え者の作業の監査することの許可を受けた者である。薬剤取り揃え者および監査者は作業者であり、それぞれの医療機関によって決めることが可能である。
【０１５１】
次に、図２２に示すフローチャートを用いて、薬剤取り揃え開始時に行われる開錠条件の判断処理について説明する。
【０１５２】
タグ検出部１４は、検出可能な位置にある作業者がつける名札１８に埋め込まれたＩＤタグを検出し、ＩＤタグに記録されている作業者番号と検出したＩＤタグの検出位置とを、管理部４９へ送信する（Ｓ３１）。この時、同時に複数のＩＤタグの検出が行うことが可能であるが、ここでは二人の作業者のＩＤタグを検出した場合について説明する。
【０１５３】
管理部４９の第１の判別部４３および第２の判別部４６は、タグ検出部１４から送られてくる二人の作業者の作業者番号および作業位置が、施錠部１３によるシャッター１２の開錠条件を満たすか否かを判別する（Ｓ３２）。
【０１５４】
ここで言う、開錠条件とは次の２つの項目を同時に満たすことである。
（開錠条件１）検出された一人（一方）の作業者の作業者番号が第１の認証者登録部４１に登録されており、その作業位置が第１の作業エリア３０にある。
（開錠条件２）検出された一人（他方）の作業者の作業者番号が第２の認証者登録部４４に登録されており、その作業位置が第２の作業エリア３１にある。
【０１５５】
つまり、取り揃え者が第１の作業エリア３０におり、監査者が第２の作業エリア３１にいることが開錠条件である。
【０１５６】
２つの項目を同時に満たさなければ（Ｓ３２でＮＯ）、開錠条件を満たしていないとして、Ｓ３１に戻る。そして、管理部４９は、タグ検出部１４から送られてくる作業者番号および作業位置が、開錠条件を満たすか否かの判別を繰り返し行う。
【０１５７】
開錠条件を満たしていれば（Ｓ３２でＹＥＳ）、管理部４９は施錠部１３へシャッター１２を開錠するように指示を出す（Ｓ３３）。施錠部１３は、管理部４９からの指示を受けて、シャッター１２の鍵を開く。
【０１５８】
管理部４９はシャッター駆動部１７へ、シャッター１２を上げて薬剤保管庫１１を開くように指示を出す（Ｓ３４）。シャッター駆動部１７は、管理部４９の指示に従い、シャッター１２を上げて、薬剤保管庫１１が開いた状態とする。
【０１５９】
管理部４９は、検出された第１の認証者（取り揃え者）の作業者番号を第１の認証者記録部４２に記録し、検出された第２の認証者（監査者）の作業者番号を第２の認証者記録部４５に記録する（Ｓ３５）。
【０１６０】
このように、シャッター１２が開き、収納容器１５から薬剤を取り出すことができるようになると、取り揃え者は薬剤の取り揃えが可能になる。
【０１６１】
次に、薬剤管理装置４０を用いた薬剤取り揃え中の動作について説明する。
【０１６２】
薬剤管理装置４０を用いて取り揃えを行うには、第１の認証者と第２の認証者とが同時に存在する必要がある。具体的には、第１の認証者は必ず第１の作業エリア３０に存在し、第２の認証者は第２の作業エリア３１に存在する必要がある。本実施の形態３の薬剤管理装置４０では、第１の認証者と第２の認証者が同時に存在しなければ、薬剤の取り揃え作業ができなくなる。
【０１６３】
よって、薬剤管理装置４０を用いて取り揃え作業を行う場合、第１の認証者と第２の認証者が存在しないと薬剤保管庫１１が開かないので、必ずダブルチェックがなされる。
【０１６４】
図２３に示すフローチャートを用いて、薬剤取り揃え中に行われる作業条件の判断処理について説明する。
【０１６５】
タグ検出部１４は、検出可能な距離にある作業者の名札１８に埋め込まれたＩＤタグを検出し、ＩＤタグに記録されている作業者番号と検出したＩＤタグの検出位置とを、管理部４９へ送信する（Ｓ４１）。
【０１６６】
この時、同時に複数のＩＤタグの検出が行うことが可能であるが、ここでは二人の作業者のＩＤタグを検出し、二人の作業者番号および作業位置を管理部４９へ送っている。
【０１６７】
管理部４９の第１の判別部４３および第２の判別部４６は、タグ検出部１４から送られてくる二人の作業者の作業者番号および作業位置から、薬剤管理装置４０の作業条件（薬剤の取り揃え作業をしてもよい条件）を満たすか否かを判別する（Ｓ４２）。
【０１６８】
ここで言う、薬剤管理装置４０の作業条件とは、次の２つの項目を同時に満たすことである。
（作業条件１）検出された第１の認証者の作業者番号が第１の認証者記録部４２に記録されており、作業位置が第１の作業エリア３０にある。
（作業条件２）検出された第２の認証者の作業者番号が第２の認証者記録部４５に記録されており、作業位置が第２の作業エリア３１にある。
【０１６９】
作業条件を満たしていれば（Ｓ４２でＹＥＳ）、管理部４９は、作業終了後に取り揃え者が操作部１６の終了ボタンを押すことにより操作部１６より発信される終了信号の検出を行う（Ｓ４３）。
【０１７０】
作業の終了信号を検出しなければ（Ｓ４４でＮＯ）、Ｓ４１に戻り、管理部４９は、薬剤管理装置４０の作業条件を満たしているか否かを、繰り返し判別する。
【０１７１】
作業の終了信号を検出すると（Ｓ４４でＹＥＳ）、管理部４９は、シャッター駆動部１７へシャッター１２を下げるように指示を出す（Ｓ４５）。すると、シャッター１２は下がり、薬剤保管庫１１を閉状態とする。管理部４９は、施錠部１３へシャッター１２を施錠するように指示を出す（Ｓ４６）。
【０１７２】
作業条件を満たしていなければ（Ｓ４２でＮＯ）、管理部４９は、警報信号発信部２３へ警報信号の発信を指示する（Ｓ４７）。指示を受けた警報信号発信部２３は、警報信号を発信する。管理部４９は、一定時間待機した後（Ｓ４８）、Ｓ４５以降の処理を行なう。
【０１７３】
このように作業条件を満たしていれば、作業者は収納容器１５の中にある薬剤の取出しが可能であり、薬剤の取り揃えを行うことができる。また、作業を終了する時は、作業者は終了ボタンが押すことで、薬剤管理装置４０を閉状態とすることができる。
【０１７４】
なお、管理部４９からの指示により、警報信号発信部２３より警報信号が発信されると、薬剤管理装置４０の警報音発信部（図示せず）へ警報信号が送られ、警報音発信部から警報音がなり、周囲に二人による薬剤取り揃えが行われていないことが知らされる。
【０１７５】
また、警報信号発信部２３から警報信号が発信すると、シャッター駆動部１７が警報信号を受けて、自動的にシャッター１２を下げて薬剤保管庫１１を閉じ、さらに、施錠部１３によりシャッター１２を施錠して、薬剤の取り揃えができないようにする。
【０１７６】
次に、薬剤管理装置４０および監査装置５０を用いた薬剤監査中の動作について説明する。
【０１７７】
監査者は薬剤監査の資格を有する者でなければならない。薬剤監査の資格を有する者とは、例えば薬剤師の資格を有する者である。本実施の形態３では、第２の認証者登録部４４に作業者番号が登録されている作業者は薬剤師の資格を有するものとする。
【０１７８】
本実施の形態３では、薬剤の監査を許可された作業者である監査者が第２の作業エリア３１内に少なくとも一人存在するという監査条件を満たす場合に、薬剤管理装置４０が監査装置５０による監査結果を受け付ける。なお、薬剤監査と薬剤取り揃えとは並行して行われる。
【０１７９】
図２４に示すフローチャートを用いて、薬剤監査中に行われる監査条件の判断処理について説明する。
【０１８０】
作業者が監査結果入力部５１を用いて監査結果を入力すると、制御部５３から監査信号受信部２５に対して監査結果を示す監査信号が送信される。
【０１８１】
管理部４９は、監査信号受信部２５が監査信号を受信したか否かを検出する（Ｓ５１）。監査信号を検出していなければ（Ｓ５２でＮＯ）、Ｓ５１に戻る。
【０１８２】
監査信号を検出していれば（Ｓ５２でＹＥＳ）、タグ検出部１４は、検出可能な距離にある作業者の名札１８に埋め込まれたＩＤタグを検出し、ＩＤタグに記録されている作業者番号と検出したＩＤタグの検出位置とを、管理部４９へ送信する（Ｓ５３）。
【０１８３】
この時、同時に複数のＩＤタグの検出を行うことが可能であるが、ここでは二人の作業者のＩＤタグを検出し、二人の作業者番号および作業位置を管理部４９へ送っている。
【０１８４】
管理部４９の第２の判別部４６は、タグ検出部１４から送られてくる二人の作業者の作業者番号および作業位置から、薬剤の監査条件（薬剤の監査をしてもよい条件）を満たすか否かを判別する（Ｓ５４）。
【０１８５】
ここで言う、薬剤の監査条件とは、次の２つの項目を同時に満たすことである。
（監査条件１）第２の作業エリア３１内に少なくとも一人の作業者が存在している。
（監査条件２）第２の作業エリア３１内に存在する少なくとも一人の作業者の作業者番号が、第２の認証者登録部４４に登録されている。
【０１８６】
ここで、薬剤の監査条件を満たす場合と満たさない場合の作業者の配置の一例について説明する。
【０１８７】
図２５に示すように、第２の作業エリア３１内に薬剤監査の資格を有する者（薬剤師）がいる場合には、薬剤の監査条件を満たすと判断される。
【０１８８】
図２６に示すように、第２の作業エリア３１内に薬剤監査の資格を有する者（薬剤師）がいない場合には、薬剤の監査条件を満たさないと判断される。図２６に示す取り揃え者は薬剤師の資格を持たない。
【０１８９】
薬剤の監査条件を満たしていれば（Ｓ５４でＹＥＳ）、管理部４９は、監査信号受信部２５が受信した監査信号を監査信号記録部２６に記録する（Ｓ５５）。これにより、監査者による監査結果が受け付けられる。
【０１９０】
薬剤の監査条件を満たしていなければ（Ｓ５４でＮＯ）、管理部４９は、監査信号受信部２５が受信した監査信号を監査信号記録部２６に記録することはせずに、処理を終了する。
【０１９１】
このように、第２の認証者登録部４４に登録された作業者番号を有する作業者が第２の作業エリア３１内にいる場合にのみ、薬剤管理装置４０は監査結果を受け付けることができる。
【０１９２】
なお、第２の作業エリア３１内でかつ第１の作業エリア３０外に監査装置５０を設置することとし、（監査条件１）の代わりに、第２の作業エリア３１内でかつ第１の作業エリア３０外に少なくとも一人の作業者が存在していることを条件としても良い。これにより、薬剤管理装置４０の位置と監査装置５０の位置とを明確に分離できるため、監査装置５０を操作している作業者の作業者番号を正確に特定することができる。
【０１９３】
以上説明したように、実施の形態３に係る薬剤管理装置４０を用いると、ダブルチェックを行うための二人の役割分担を明確に分けた場合であっても、二人の作業者によって、確実にダブルチェックされる薬剤管理装置を提供することができる。
【０１９４】
なお、薬剤管理装置４０は、タグ検出部１４により作業者の識別および作業位置の検出を行っているが、実施の形態２と同様に、タグ検出部１４の代わりにカメラおよび画像解析部を設けることで、カメラの画像により作業者の識別および作業位置の検出を行ってもよい。
【０１９５】
以上、本発明の実施の形態に係る薬剤管理装置および監査装置について説明したが、本発明は、この実施の形態に限定されるものではない。
【０１９６】
実施の形態１〜３では、作業者の数を二人としたが、それに限定されるものではなく、三名以上いた場合であっても、上記開錠条件、作業条件および監査条件に従った処理を行なうことが可能である。
【０１９７】
また、実施の形態１〜３では、薬剤の取り揃えを行うための薬剤管理装置と取り揃えられた薬剤を監査するための監査装置とが別体として設けられているが、薬剤管理装置内に監査装置の機能が備わっていてもよい。以下の変形例１および２で詳細に説明する。
【０１９８】
（変形例１）
図２７は、実施の形態１に係る薬剤管理装置１０に監査装置の機能が備えられた薬剤管理装置の機能的な構成を示すブロック図である。
【０１９９】
薬剤管理装置６０は、実施の形態１に係る薬剤管理装置１０の構成において、監査信号受信部２５および監査信号記録部２６の代わりに、監査結果入力部６５および監査信号記録部６６を備える。
【０２００】
監査結果入力部６５は、監査者が監査結果を入力するためインタフェースであり、例えば、ボタンなどから構成される。
【０２０１】
監査信号記録部６６は、監査結果入力部６５から入力された監査結果を示す監査信号を記録する。
【０２０２】
この構成において、実施の形態１と同様の処理が行なわれる。開錠条件および薬剤管理装置６０の作業条件は実施の形態１と同様である。
【０２０３】
つまり、鍵が閉じている状態において、図２８および図２９に示す状態では開錠条件を満たし、図３０および図３１に示す状態では開錠条件を満たさない。
【０２０４】
つまり、図２８に示すように第１の作業エリア３０内に作業者がおり、第２の作業エリア３１内に作業者がいる場合には、開錠条件を満たすと判断される。ここで、作業者とは、作業者番号が利用者登録部２１に登録された者である。
【０２０５】
また、図２９に示すように、第１の作業エリア３０内に二人の作業者がいる場合も、開錠条件を満たすと判断される。ここで、二人の作業者とは、作業者番号が利用者登録部２１に登録された者である。
【０２０６】
また、図３０に示すように、第２の作業エリア３１内であって第１の作業エリア３０外に二人の作業者がいる場合には、開錠条件を満たさないと判断される。ここで、二人の作業者とは、作業者番号が利用者登録部２１に登録された者である。
【０２０７】
また、図３１に示すように、第１の作業エリア３０内に一人の作業者がいるものの、第２の作業エリア３１内には作業者がいない場合には、開錠条件を満たさないと判断される。ここで、作業者とは、作業者番号が利用者登録部２１に登録された者である。
【０２０８】
薬剤管理装置６０の作業条件も同様に、開錠状態において、図２８および図２９に示す状態では作業条件を満たし、図３０および図３１に示す状態では作業条件を満たさない。
【０２０９】
薬剤の監査条件については、実施の形態１と異なる。つまり、実施の形態１では、監査装置５０が第２エリアに設置されていたが、本変形例１では薬剤の監査が第１エリアに設置されている薬剤管理装置６０を利用して行われる。このため、本変形例１で言う、薬剤の監査条件とは、次の２つの項目を同時に満たすことである。
（監査条件１´）第１の作業エリア３０内に少なくとも一人の作業者が存在している。
（監査条件２´）第１の作業エリア３０内に存在する少なくとも一人の作業者の作業者番号が、利用者登録部２１に登録されている。
【０２１０】
管理部２２は、この監査条件が満たされる場合に、監査結果入力部６５から入力された監査結果を示す監査信号を監査信号記録部６６に記録し、監査条件が満たされない場合には、監査結果入力部６５から入力された監査結果を示す監査信号を破棄し、監査信号記録部６６には記録しない。
【０２１１】
（変形例２）
図３２は、実施の形態３に係る薬剤管理装置４０に監査装置の機能が備えられた薬剤管理装置の機能的な構成を示すブロック図である。
【０２１２】
薬剤管理装置７０は、実施の形態３に係る薬剤管理装置４０の構成において、監査信号受信部２５および監査信号記録部２６の代わりに、監査結果入力部６５および監査信号記録部６６を備える。
【０２１３】
監査結果入力部６５および監査信号記録部６６は、変形例１に示したものと同様であるため、その詳細な説明は繰り返さない。
【０２１４】
この構成において、実施の形態３と同様の処理が行なわれる。開錠条件および薬剤管理装置７０の作業条件は実施の形態３と同様である。
【０２１５】
薬剤の監査条件については、実施の形態３と異なる。つまり、実施の形態３では、監査装置５０が第２エリアに設置されていたが、本変形例２では薬剤の監査が第１エリアに設置されている薬剤管理装置７０を利用して行われる。このため、本変形例２で言う、薬剤の監査条件とは、次の２つの項目を同時に満たすことである。
（監査条件１´´）第１の作業エリア３０内に少なくとも一人の作業者が存在している。
（監査条件２´´）第１の作業エリア３０内に存在する少なくとも一人の作業者の作業者番号が、第２の認証者登録部４４に登録されている。
【０２１６】
管理部４９は、この監査条件が満たされる場合に、監査結果入力部６５から入力された監査結果を示す監査信号を監査信号記録部６６に記録し、監査条件が満たされない場合には、監査結果入力部６５から入力された監査結果を示す監査信号を破棄し、監査信号記録部６６には記録しない。
【０２１７】
ここで、薬剤の監査条件を満たす場合と満たさない場合の作業者の配置の一例について説明する。
【０２１８】
図３３に示すように、第１の作業エリア３０内に薬剤監査の資格を有する者（薬剤師）がいる場合には、薬剤の監査条件を満たすと判断される。
【０２１９】
図３４に示すように、第１の作業エリア３０内に薬剤監査の資格を有する者（薬剤師）がいない場合には、薬剤の監査条件を満たさないと判断される。図３４に示す取り揃え者は薬剤師の資格を持たない。
【０２２０】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０２２１】
さらに、上記の各装置を構成する構成要素の一部または全部は、１個のシステムＬＳＩ（Large Scale Integration：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０２２２】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０２２３】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０２２４】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、半導体メモリなどに記録したものとしても良い。また、これらの非一時的な記録媒体に記録されている上記デジタル信号であるとしても良い。
【０２２５】
また、本発明は、上記コンピュータプログラムまたは上記デジタル信号を、電気通信回線、無線または有線通信回線、インターネットを代表とするネットワーク、データ放送等を経由して伝送するものとしても良い。
【０２２６】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０２２７】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０２２８】
さらに、上記実施の形態及び上記変形例をそれぞれ組み合わせるとしても良い。
【０２２９】
なお、本発明の薬剤管理装置の必須構成要素は、薬剤保管庫１１と、施錠部１３と、タグ検出部１４と、管理部２２とであり、それ以外の構成要素は薬剤管理装置に備わっているのが望ましい。
【０２３０】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２３１】
本発明は、薬剤の管理を行う薬剤管理装置の制御方法および薬剤管理装置等に適用でき、特に、薬剤取り揃え作業を行うためにダブルチェックを必要とする薬剤の取り揃え作業に有用である。
【符号の説明】
【０２３２】
１０、３３、４０、６０、７０  薬剤管理装置
１１  薬剤保管庫
１２  シャッター
１３  施錠部
１４  タグ検出部
１５  収納容器
１６  操作部
１７  シャッター駆動部
１８  名札
１９  ＩＣ
２０  アンテナ
２１  利用者登録部
２２、４９  管理部
２３  警報信号発信部
２４  利用者記録部
２５  監査信号受信部
２６、６６  監査信号記録部
３０  第１の作業エリア
３１  第２の作業エリア
３２  カメラ
３９  緩衝エリア
４１  第１の認証者登録部
４２  第１の認証者記録部
４３  第１の判別部
４４  第２の認証者登録部
４５  第２の認証者記録部
４６  第２の判別部
５０  監査装置
５１  監査結果入力部
５２  表示部
５３  制御部
６５  監査結果入力部
【図１】
2011033756.tif 000003
【図２】
2011033756.tif 000004
【図３】
2011033756.tif 000005
【図４】
2011033756.tif 000006
【図５】
2011033756.tif 000007
【図６】
2011033756.tif 000008
【図７】
2011033756.tif 000009
【図８】
2011033756.tif 000010
【図９】
2011033756.tif 000011
【図１０】
2011033756.tif 000012
【図１１】
2011033756.tif 000013
【図１２】
2011033756.tif 000014
【図１３】
2011033756.tif 000015
【図１４】
2011033756.tif 000016
【図１５】
2011033756.tif 000017
【図１６】
2011033756.tif 000018
【図１７】
2011033756.tif 000019
【図１８】
2011033756.tif 000020
【図１９】
2011033756.tif 000021
【図２０】
2011033756.tif 000022
【図２１】
2011033756.tif 000023
【図２２】
2011033756.tif 000024
【図２３】
2011033756.tif 000025
【図２４】
2011033756.tif 000026
【図２５】
2011033756.tif 000027
【図２６】
2011033756.tif 000028
【図２７】
2011033756.tif 000029
【図２８】
2011033756.tif 000030
【図２９】
2011033756.tif 000031
【図３０】
2011033756.tif 000032
【図３１】
2011033756.tif 000033
【図３２】
2011033756.tif 000034
【図３３】
2011033756.tif 000035
【図３４】
2011033756.tif 000036
【手続補正書】
【提出日】平成23年7月1日(2011.7.1)
【手続補正１】
【補正対象書類名】明細書
【補正対象項目名】全文
【補正方法】変更
【補正の内容】
【発明の詳細な説明】
【技術分野】
【０００１】
本発明は、病院または薬局で行われる薬剤の取り揃えにおける薬剤の保管を行う薬剤管理装置に関する。
【背景技術】
【０００２】
病院では、様々な病気または怪我を持つ患者に対し医師が診断を行い、治療のために調剤情報を作成する。そして、薬局または調剤室等では、その調剤情報に従い薬剤の取り揃えが行われる。
【０００３】
一般に、薬剤の取り揃えは、作業者の手作業で行われている。薬剤の取り揃えには薬剤の自動払い出し機を用いることもできるが、特に慎重な管理が必要な一部の薬剤は作業者の手で行われている。
【０００４】
作業者によって行われる薬剤の取り揃えは、人為的作業のため、取り揃え間違いが発生する可能性がある。
【０００５】
取り揃え間違いをなくすため、調剤情報を入力すると、調剤情報に記載された薬剤の収納容器が開く、薬剤収納装置がある（例えば、特許文献１を参照）。
【０００６】
図１に示すように、特許文献１に記載の薬剤類収納装置１は、調剤箋をバーコードリーダ２で読みとると、扉３または引出４を開き、各収納容器に付設され数字を表示する表示器５、６に取り出す薬剤の個数を表示する。これにより、所望の薬剤の収納箇所が一目瞭然となると同時に、その薬剤を取り出す個数が目の前で案内される。
【０００７】
このように薬剤類収納装置１が取り揃え作業を補助することで取り揃え作業は容易になり、間違いを減らすことはできる。ただし、取り揃え作業は人為的作業であるため、取り揃え間違いが発生する可能性は残る。
【０００８】
また、取り揃え間違いをなくすため、薬剤の取り揃えを行う作業者（取り揃え者）と、この取り揃え者の作業を監査する作業者（監査者）との二人により、薬剤の取り揃え作業を行うよう内部ルール（ダブルチェック方式）を設定した薬局または調剤室もある。
【０００９】
取り揃え者と監査者の二人が薬剤の取り揃えを行うダブルチェック方式は、調剤情報が記録されている書類に、取り揃え者および監査者が押印またはサインをすることでダブルチェックを確実に行うようにしている。
【先行技術文献】
【特許文献】
【００１０】
【特許文献１】特開２００４−１８７９５８号公報
【発明の概要】
【発明が解決しようとする課題】
【００１１】
従来の薬剤管理装置の課題は、人為的にダブルチェック方式による薬剤の承認を行っている点である。
【００１２】
書類に取り揃え者および監査者の押印またはサインがあったとしても、押印またはサインは人為的な行為のため、監査者の押印を取り揃え者が行なう可能性がある。
【００１３】
つまり、取り揃え者の作業に監査者が立ち会わなくとも、取り揃え者へ作業者の印鑑を預けておけば、書類に取り揃え者および監査者の押印をすることができる。また、取り揃え作業が終わった後に、薬剤の取り揃え内容を確認せずに、まとめて監査者が押印またはサインをすることも可能である。
【００１４】
本発明は、このような従来の薬剤管理装置の課題を解決するものであり、確実に薬剤の取り揃え時にダブルチェックを行うことができる薬剤管理装置の制御方法および薬剤管理装置を提供することを目的とする。
【課題を解決するための手段】
【００１５】
この目的を達成するために本発明に係る薬剤管理装置の制御方法は、薬剤保管庫と、作業者を識別するための作業者情報および前記作業者の作業位置を検出する検出部とを備える薬剤管理装置の制御方法であって、前記薬剤管理装置の設置位置を含む第１の作業エリアと、前記薬剤管理装置を操作する前記作業者を直接視認可能な位置を含む第２の作業エリアとが予め設定されており、作業者の作業者情報および作業位置を検出する検出ステップと、前記検出ステップでの検出結果に基づいて、前記薬剤保管庫が施錠されている状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという開錠条件を満たすか否かを判断する開錠条件判断ステップと、前記開錠条件判断ステップにおいて前記開錠条件を満たすと判断された場合に、前記薬剤保管庫を開錠可能な状態にする開錠ステップとを含む。
【００１６】
この構成によると、薬剤管理装置の近くに薬剤保管庫の利用が許可された作業者が二人いなければ、薬剤保管庫の鍵が開かない。このため、確実に薬剤の取り揃え時にダブルチェックを行うことができる。
【００１７】
好ましくは、上述の薬剤管理装置の制御方法は、さらに、前記検出ステップでの検出結果に基づいて、前記薬剤保管庫が開錠している状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという作業条件を満たすか否かを判断する作業条件判断ステップと、前記作業条件判断ステップにおいて前記作業条件を満たさないと判断された場合に、警告信号を発信する警告ステップとを含む。
【００１８】
この構成によると、薬剤の取り揃え作業中に、一人が薬剤管理装置の近くからいなくなると警告が発せられる。このため、薬剤管理装置の近くの作業者が一人のみになることを防止することができる。よって、確実に薬剤の取り揃え時にダブルチェックを行うことができる。
【００１９】
さらに好ましくは、上述の薬剤管理装置の制御方法は、さらに、前記作業条件判断ステップにおいて前記作業条件を満たさないと判断された場合に、前記薬剤保管庫を施錠する施錠ステップを含む。
【００２０】
この構成によると、薬剤の取り揃え作業中に、一人が薬剤管理装置の近くからいなくなると薬剤保管庫の鍵が閉じる。このため、薬剤管理装置の近くに作業者が一人しかいない状態で薬剤の取り揃えを行うことを防止することができる。
【００２１】
また、前記検出ステップでは、前記作業者を撮像した画像を解析することにより、前記作業者の作業者情報および作業位置を検出してもよい。
【００２２】
この構成によると、作業者を撮影した画像を利用することで、他者の名札（ＩＤタグ）を用いた成り済ましを防ぐことができる。
【００２３】
好ましくは、前記開錠条件判断ステップでは、前記検出ステップでの検出結果に基づいて、前記薬剤保管庫が施錠されている状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという開錠条件を満たすか否かを判断する。
【００２４】
この構成によると、第１の作業エリアにおいて作業することが許可された作業者と第２の作業エリアにおいて作業することが許可された作業者とを明確に分けた上で、開錠条件を満たすか否か判断することができる。
【００２５】
また、前記作業条件判断ステップでは、前記検出ステップでの検出結果に基づいて、前記薬剤保管庫が開錠している状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという作業条件を満たすか否かを判断してもよい。
【００２６】
この構成によると、第１の作業エリアにおいて作業することが許可された作業者と第２の作業エリアにおいて作業することが許可された作業者とを明確に分けた上で、作業条件を満たすか否か判断することができる。
【００２７】
好ましくは、前記第２の作業エリア内に作業者による監査結果を受け付ける監査装置が設けられており、薬剤の監査を許可された作業者である監査者が前記第２の作業エリア内に少なくとも一人存在するという監査条件を満たすか否かを判断する監査条件判断ステップと、前記監査条件判断ステップにおいて前記監査条件を満たすと判断された場合に、前記監査者による監査結果を受け付ける監査結果受け付けステップとを含む。
【００２８】
この構成によると、薬剤の監査を許可された作業者が第２の作業エリア内にいる場合にのみ、薬剤管理装置は監査結果を受け付けることができる。よって、不正な監査を防止することができる。
【００２９】
また、前記監査装置は、前記第２の作業エリア内でかつ前記第１の作業エリア外に設けられており、前記監査条件判断ステップでは、前記第２の作業エリア内でかつ前記第１の作業エリア外に少なくとも一人の前記監査者が存在するという監査条件を満たすか否かを判断してもよい。
【００３０】
また、前記第１の作業エリア内からは作業者が前記監査装置を操作できず、かつ前記第２の作業エリアからは作業者が前記薬剤管理装置を操作できないように、前記第１の作業エリアおよび前記第２の作業エリアが予め設定されていてもよい。
【００３１】
また、前記第１の作業エリアと前記第２の作業エリアとの間には、いずれの作業エリアにも属さないエリアが設定されていてもよい。
【００３２】
薬剤管理装置の位置と監査装置の位置とを明確に分離することができるため、監査装置を操作している作業者を正確に特定することができ、第１の作業エリアにいる作業者が監査を行うという不正な監査を防止することができる。
【００３３】
また、前記薬剤管理装置は、さらに、前記監査結果を受け付ける監査結果受け付け部を備え、上述の薬剤管理装置の制御方法は、前記第１の作業エリア内に少なくとも一人の薬剤の監査を許可された作業者である監査者が存在するという監査条件を満たすか否かを判断する監査条件判断ステップと、前記監査条件判断ステップにおいて前記監査条件を満たすと判断された場合に、前記監査者による監査結果を受け付ける監査結果受け付けステップとを含んでいてもよい。
【００３４】
この構成によると、薬剤管理装置に監査を行う機能が設けられている場合であって、薬剤の監査を許可された作業者が第１の作業エリア内にいる場合にのみ、薬剤管理装置は監査結果を受け付けることができる。よって、監査者以外の者が監査を行う不正な監査を防止することができる。
【００３５】
好ましくは、前記監査条件判断ステップでは、前記第１の作業エリア内に少なくとも一人の前記監査者が存在し、かつ前記第１の作業エリア内に薬剤の監査を許可されていない作業者が存在しないという監査条件を満たすか否かを判断してもよい。
【００３６】
この構成によると、第１の作業エリア内にいるのは監査者のみであることが保証される。よって、監査者以外の者が監査を行う不正な監査を、より確実に防止することができる。
【００３７】
なお、本発明は、このような特徴的なステップを備える薬剤管理装置の制御方法として実現することができるだけでなく、薬剤管理装置の制御方法に含まれる特徴的なステップを処理部とする薬剤管理装置として実現したり、薬剤管理装置の制御方法に含まれる特徴的なステップをコンピュータに実行させるためのプログラムとして実現したりすることもできる。そして、そのようなプログラムを、ＣＤ−ＲＯＭ（Compact Disc-Read Only Memory）等のコンピュータ読み取り可能な非一時的な記録媒体やインターネット等の通信ネットワークを介して流通させることができるのは、言うまでもない。
【発明の効果】
【００３８】
本発明によると、作業者が二人いなければ薬剤取り揃え作業ができないので、確実に薬剤の取り揃え時にダブルチェックを行うことができる薬剤管理装置の制御方法およびその装置を提供することができる。
【図面の簡単な説明】
【００３９】
【図１】図１は、従来の薬剤収納装置の斜視図である。
【図２】図２は、本発明の実施の形態１における薬剤管理装置の開状態の斜視図である。
【図３】図３は、実施の形態１における薬剤管理装置の閉状態の斜視図である。
【図４】図４は、実施の形態１における名札の正面図である。
【図５】図５は、実施の形態１における薬剤管理装置の機能的な構成を示すブロック図である。
【図６】図６は、利用者登録部に記憶されている薬剤保管庫の利用が許可された作業者の作業者情報の一例を示す図である。
【図７】図７は、監査装置の外観図である。
【図８】図８は、監査装置の機能的な構成を示すブロック図である。
【図９】図９は、実施の形態１における薬剤管理装置の検出エリアを示す図である。
【図１０】図１０は、薬剤管理装置の他の検出エリアを示す図である。
【図１１】図１１は、実施の形態１における薬剤取り揃え開始時に行われる開錠条件の判断処理のフローチャートである。
【図１２】図１２は、開錠条件を満たす場合の作業者の配置の一例を示す図である。
【図１３】図１３は、開錠条件を満たす場合の作業者の配置の一例を示す図である。
【図１４】図１４は、開錠条件を満たさない場合の作業者の配置の一例を示す図である。
【図１５】図１５は、開錠条件を満たさない場合の作業者の配置の一例を示す図である。
【図１６】図１６は、実施の形態１における薬剤取り揃え中に行われる作業条件の判断処理のフローチャートである。
【図１７】図１７は、実施の形態１における薬剤監査中に行われる監査条件の判断処理のフローチャートである。
【図１８】図１８は、本発明の実施の形態２における薬剤管理装置の斜視図である。
【図１９】図１９は、本発明の実施の形態３における薬剤管理装置の機能的な構成を示すブロック図である。
【図２０】図２０は、第１の認証者登録部に登録されている薬剤保管庫の利用が許可された作業者の作業者情報の一例を示す図である。
【図２１】図２１は、第２の認証者登録部に登録されている監査装置の利用が許可された作業者の作業者情報の一例を示す図である。
【図２２】図２２は、実施の形態３における薬剤取り揃え開始時に行われる開錠条件の判断処理のフローチャートである。
【図２３】図２３は、実施の形態３における薬剤取り揃え中に行われる作業条件の判断処理のフローチャートである。
【図２４】図２４は、実施の形態３における薬剤監査中に行われる監査条件の判断処理のフローチャートである。
【図２５】図２５は、薬剤の監査条件を満たす場合の作業者の配置の一例を示す図である。
【図２６】図２６は、薬剤の監査条件を満たさない場合の作業者の配置の一例を示す図である。
【図２７】図２７は、本発明の実施の形態の変形例１における薬剤管理装置の機能的な構成を示すブロック図である。
【図２８】図２８は、開錠条件を満たす場合の作業者の配置の一例を示す図である。
【図２９】図２９は、開錠条件を満たす場合の作業者の配置の一例を示す図である。
【図３０】図３０は、開錠条件を満たさない場合の作業者の配置の一例を示す図である。
【図３１】図３１は、開錠条件を満たさない場合の作業者の配置の一例を示す図である。
【図３２】図３２は、本発明の実施の形態の変形例２における薬剤管理装置の機能的な構成を示すブロック図である。
【図３３】図３３は、薬剤の監査条件を満たす場合の作業者の配置の一例を示す図である。
【図３４】図３４は、薬剤の監査条件を満たさない場合の作業者の配置の一例を示す図である。
【発明を実施するための形態】
【００４０】
以下、本発明を実施するための形態について、図面を参照しながら説明する。なお、以下の説明において、同じ構成には、同じ符号を付して、適宜説明を省略する。
【００４１】
（実施の形態１）
図２は本発明の実施の形態１における薬剤管理装置１０の開状態の斜視図である。ここで、開状態とは、シャッターが開いた状態である。薬剤管理装置１０は、薬剤保管庫１１と、施錠部１３と、タグ検出部１４と、操作部１６とを備える。
【００４２】
薬剤保管庫１１は、薬剤を収納して保管する保管庫である。施錠部１３は、薬剤保管庫１１のシャッター１２を開錠または施錠するためのものである。タグ検出部１４は、複数の作業者が身に付けた複数の名札に埋め込まれた複数のＩＤ（Identification）タグより、同時に非接触で作業者情報および作業位置を検出する。操作部１６は、作業者による薬剤保管庫１１に対する操作を受け付ける。
【００４３】
薬剤保管庫１１は、薬剤を収納した複数の収納容器１５と、この収納容器１５の前面に蓋をするシャッター１２とからなる。
【００４４】
図３は本実施の形態１における薬剤管理装置１０の閉状態の斜視図である。ここで、閉状態とは、シャッター１２が閉じた状態である。図３では、薬剤管理装置１０のシャッター１２を閉じ、さらに施錠部１３によりシャッター１２を施錠している。よって、図３に示す状態では、作業者は、薬剤保管庫１１（収納容器１５）から薬剤を取り出せない。
【００４５】
タグ検出部１４は、非接触型のＩＤタグリーダである。このタグ検出部１４は、作業者の名札に埋め込まれたＩＤタグを読み取り、読取った結果より作業者の作業者情報を検出する。さらに、このタグ検出部１４は、ＩＤタグの存在位置を検出する。
【００４６】
名札に埋め込まれたＩＤタグは、図４に示すように、作業者の名札１８に埋め込まれたＩＣ（Integrated Circuit）１９と、アンテナ２０とから構成されている。ＩＤタグのＩＣ１９の中には、作業者の識別情報等が記録されている。そして、このＩＤタグは、ＵＨＦ（Ultra High Frequency）帯のＲＦＩＤ（Radio Frequency IDentification）タグを使用し、例えば、近接距離３ｍ以内のタグ検出部１４での検出が可能である。
【００４７】
図５は本実施の形態１における薬剤管理装置１０の機能的な構成を示すブロック図である。
【００４８】
図５において、薬剤管理装置１０は、薬剤保管庫１１、施錠部１３、タグ検出部１４、操作部１６に加えて、シャッター駆動部１７と、利用者登録部２１と、管理部２２と、警報信号発信部２３と、利用者記録部２４と、監査信号受信部２５と、監査信号記録部２６とを備える。
【００４９】
シャッター駆動部１７は、施錠部１３の動きに連動してシャッター１２の上げ下げを行う。つまり、施錠部１３がシャッター１２を開錠した場合には、シャッター駆動部１７は、シャッター１２を上げる。また、施錠部１３がシャッター１２を施錠した場合には、シャッター駆動部１７は、シャッター１２を下げる。
【００５０】
利用者登録部２１は、薬剤保管庫１１の利用が許可された作業者の作業者情報をなす作業者番号を記憶している。図６は、利用者登録部２１に記憶されている薬剤保管庫１１の利用が許可された作業者の作業者情報の一例を示す図である。図６に示すように、薬剤保管庫１１の利用が許可された作業者の作業者番号として、「ｘｘｘ」、「ｙｙｙ」および「ｚｚｚ」が記録されている。
【００５１】
管理部２２は、ＩＤタグより検出した作業者情報が示す作業者番号が利用者登録部２１に記録されているかを識別する。
【００５２】
警報信号発信部２３は、警報信号を発信する。
【００５３】
この作業者番号は、タグ検出部１４で検出された作業者情報に含まれる作業者を識別するための番号である。
【００５４】
利用者記録部２４は、薬剤取り揃え作業中の作業者の作業者番号を記録する。
【００５５】
監査信号受信部２５は、後述する監査装置５０より監査結果を示す監査信号を受信する。
【００５６】
監査信号記録部２６は、監査信号受信部２５が受信した監査信号を記録する。
【００５７】
図７は、監査装置５０の外観図である。監査装置５０は、取り揃え者が取り揃えた薬剤に対し、その薬剤の取り揃えに誤りがないかを監査者が監査した結果を入力するための装置である。この監査装置５０は、監査結果入力部５１と、表示部５２とを備えている。監査結果入力部５１は、監査者が監査結果を入力するためのインタフェースであり、例えば、ボタンなどから構成される。表示部５２は、監査結果を表示するためのディスプレイである。
【００５８】
図８は、監査装置５０の機能的な構成を示すブロック図である。監査装置５０は、監査結果入力部５１と表示部５２と制御部５３とを含む。
【００５９】
制御部５３は、監査結果入力部５１が受け付けた監査結果を表示部５２に表示すると共に、監査結果を薬剤管理装置１０に送信する。
【００６０】
次に、薬剤取り揃え作業開始時および薬剤取り揃え作業時において、薬剤管理装置１０が行う処理について簡単に説明する。
【００６１】
図９に示すように薬剤管理装置１０の周囲に、第１の作業エリア３０および第２の作業エリア３１を設定する。第１の作業エリア３０は、薬剤管理装置１０の設置位置を含むエリアである。第２の作業エリア３１は、薬剤管理装置１０を操作する作業者（第１の作業者）とは異なる作業者（第２の作業者）が薬剤管理装置１０を操作する作業者を直接視認可能な位置を含むエリアである。監査装置５０は、薬剤管理装置１０と接続され、第２の作業エリア３１内に設けられているものとする。
【００６２】
例えば、第１の作業エリア３０および第２の作業エリア３１は、図９に示すような薬剤管理装置１０のタグ検出部１４を中心にしたエリアを示す。そして、第２の作業エリア３１の中に第１の作業エリア３０があり、第２の作業エリア３１は第１の作業エリア３０を含む（すなわち、第１の作業エリア３０内にあるものは、必ず第２の作業エリア３１内にもある）。具体的には、タグ検出部１４を中心として、第１の作業エリア３０は半径１ｍの円形のエリア、第２の作業エリア３１は半径５ｍの円形のエリアである。
【００６３】
なお、第２の作業エリア３１は、必ずしも第１の作業エリア３０を含む必要はない。よって、第２の作業エリア３１が第１の作業エリア３０の一部のみ含む場合があってもよいし、また、第１の作業エリア３０が第２の作業エリア３１に含まれない場合があってもよい。このとき、第１の作業エリア３０および第２の作業エリア３１の設定は、第１の作業エリア３０からは監査装置５０を操作できず、かつ第２の作業エリア３１からは薬剤管理装置１０を操作できないようにしてもよい。また、図１０に示すように、互いに一致するエリアを持たない第１の作業エリア３０と第２の作業エリア３１とを設け、かつ第１の作業エリア３０と第２の作業エリア３１との間に緩衝エリア３９を設けてもよい。この緩衝エリア３９は、第１の作業エリア３０および第２の作業エリア３１に属さないエリアである。緩衝エリア３９を設けることにより、第１の作業エリア３０からは監査装置５０を操作できず、かつ第２の作業エリア３１からは薬剤管理装置１０を操作できない配置にすることができる。
【００６４】
この第１の作業エリア３０および第２の作業エリア３１の範囲の設定については、本実施の形態１の薬剤管理装置１０が設置される各病院の内部ルールなどから、適宜設定されることが好ましい。
【００６５】
薬剤管理装置１０は、薬剤取り揃え作業の開始時に、薬剤保管庫１１の利用が許可された作業者が第１の作業エリア３０内に少なくとも一人存在し、かつ第１の作業エリア３０および第２の作業エリア３１を併せたエリア内に薬剤保管庫１１の利用が許可された複数の作業者が存在するという開錠条件を満たすか否かを判断する。開錠条件を満たせば、施錠部１３はシャッター１２を開錠する。そして、作業者は、薬剤保管庫１１を用いて薬剤の取り揃え作業を行うことができる。なお、施錠部１３はシャッター１２を開錠可能な状態にし、実際の開錠は作業者が行うようにしてもよい。
【００６６】
また、薬剤管理装置１０は、シャッター１２が開錠した状態で、薬剤保管庫１１の利用が許可された作業者が第１の作業エリア３０内に少なくとも一人存在し、かつ第１の作業エリア３０および第２の作業エリア３１を併せたエリア内に薬剤保管庫１１の利用が許可された複数の作業者が存在するという作業条件を満たすか否かを判断する。作業条件を満たさない場合には、警報信号発信部２３は警報信号を発信し、一定時間経過後に施錠部１３はシャッター１２を施錠する。警報信号発信部２３が警報信号を発信し、一定時間経過後に施錠部１３がシャッター１２を施錠する場合は、例えば、タグ検出部１４により同時に検出された二人の作業者が、揃って第１の作業エリア３０に同時に検出されなかった場合がある。また、別の場合としては、一方の作業者が第１の作業エリア３０を含み且つ第１の作業エリア３０より広い第２の作業エリア３１で検出されるが、他方の作業者が第１の作業エリア３０で検出されなかった場合である。このため、本実施の形態１の薬剤管理装置１０は、薬剤管理装置１０の近くに作業者が一人しかいない状態で薬剤の取り揃えを行うことを防止することができる。
【００６７】
このような構成とすることで、薬剤保管庫１１の利用が許可された作業者が薬剤管理装置１０の近くに二人いなければ、薬剤保管庫１１が開かず、かつシャッター１２が開錠されない。また、取り揃え作業中に、作業者の一人が薬剤管理装置１０から離れると、警報信号発信部２３より警報信号が発信する。この警報信号により、シャッター１２を下げたり、警報音発信部から警報音を発信したりする。このため、薬剤管理装置１０近傍の作業者が一人になることを防止することができる。
【００６８】
よって、本実施の形態１の薬剤管理装置１０を用いて薬剤取り揃え作業を行うには、必ず二人の作業者が必要であり、確実に二人の作業者によるダブルチェックがなされる。
【００６９】
次に、薬剤管理装置１０を用いた薬剤取り揃え開始時の動作について詳細に説明する。
【００７０】
取り揃え作業が行われていない時、薬剤管理装置１０は、図３のごとくシャッター１２を閉めて、施錠部１３がシャッター１２を施錠している。
【００７１】
薬剤の取り揃え作業を行うには、シャッター１２を開いて、収納容器１５から薬剤を取り出せるようにする必要がある。
【００７２】
第１の作業エリア３０内に、薬剤保管庫１１の利用が許可された作業者（利用者登録部２１に作業者番号が登録されている作業者）が少なくとも一人存在し、かつ第１の作業エリア３０および第２の作業エリア３１を併せたエリア内に薬剤保管庫１１の利用が許可された複数の作業者が存在するという開錠条件を満たすと、施錠部１３は、シャッター１２を開錠する。すると、薬剤管理装置１０の上部に内蔵されたシャッター駆動部１７（図５に示す）が、施錠部１３の動きに連動してシャッター１２を上げる。そして、薬剤管理装置１０において、図２のごとく、シャッター１２は上がり、薬剤保管庫１１の収納容器１５を引き出すことが可能となる。
【００７３】
図１１に示すフローチャートを用いて、薬剤取り揃え開始時に行われる開錠条件の判断処理について説明する。
【００７４】
タグ検出部１４は、検出可能な位置にある作業者の名札１８に埋め込まれたＩＤタグを検出し、ＩＤタグに記録されている作業者番号と検出したＩＤタグの検出位置とを、管理部２２へ送信する（Ｓ１）。この時、同時に複数のＩＤタグの検出が行うことが可能であるが、ここでは二人の作業者のＩＤタグを検出した場合について説明する。
【００７５】
管理部２２は、タグ検出部１４から送られてくる二人に作業者の作業者番号および作業位置が、施錠部１３によるシャッター１２の開錠条件を満たすか否かを判別する（Ｓ２）。
【００７６】
ここで言う、開錠条件とは次の２つの項目を同時に満たすことである。
（開錠条件１）検出された複数の作業者の作業者番号が、いずれも利用者登録部２１に登録されている。
（開錠条件２）検出された複数の作業者の作業位置が第１の作業エリア３０および第２の作業エリア３１を併せたエリア内にあり、そのうちの一人の作業位置が第１の作業エリア３０にある。
【００７７】
ここで、開錠条件を満たす場合と満たさない場合の作業者の配置の一例について説明する。
【００７８】
図１２および図１３は、開錠条件を満たす場合の作業者の配置の一例を示す。
【００７９】
図１２に示すように、作業者番号が利用者登録部２１に登録された作業者が第１の作業エリア３０内に存在し、作業者番号が利用者登録部２１に登録された作業者が第２の作業エリア３１内に存在する場合には、開錠条件を満たすと判断される。
【００８０】
また、図１３に示すように、作業者番号が利用者登録部２１に登録された二人の作業者が第１の作業エリア３０内に存在する場合も、開錠条件を満たすと判断される。
【００８１】
図１４および図１５は、開錠条件を満たさない場合の作業者の配置の一例を示す。
【００８２】
図１４に示すように、作業者番号が利用者登録部２１に登録された二人の作業者が第２の作業エリア３１内であって第１の作業エリア３０外に存在する場合には、開錠条件を満たさないと判断される。つまり、上記（開錠条件２）では、第１の作業エリア３０内に作業者がいることが条件とされているが、その条件を満たしていないため、開錠条件を満たさないと判断される。
【００８３】
また、図１５に示すように、作業者番号が利用者登録部２１に登録された一人の作業者が第１の作業エリア３０内に存在してはいるが、第２の作業エリア３１内に作業者が存在しない場合には、上記（開錠条件１）および（開錠条件２）の条件を満たしていないため、開錠条件を満たさないと判断される。
【００８４】
２つの項目を同時に満たさなければ（Ｓ２でＮＯ）、開錠条件を満たしていないとして、Ｓ１に戻る。そして、管理部２２は、タグ検出部１４から送られてくる作業者番号および作業位置が、開錠条件を満たすか否かの判別を、上述の２つの項目を同時に満たすまで繰り返し行う。
【００８５】
開錠条件を満たしていれば（Ｓ２でＹＥＳ）、管理部２２は施錠部１３へシャッター１２を開錠するように指示を出す（Ｓ３）。施錠部１３は、管理部２２からの指示を受けて、シャッター１２を開錠する。
【００８６】
管理部２２は、シャッター１２を上げて薬剤保管庫１１を開くように、シャッター駆動部１７へ指示を出す（Ｓ４）。シャッター駆動部１７は、管理部２２の指示に従い、シャッター１２を上げて、薬剤管理装置１０を図３に示す状態とする。
【００８７】
管理部２２は、検出された二人の作業者の作業者番号を、利用者記録部２４へ記録する（Ｓ５）。
【００８８】
このように、シャッター１２が開き、収納容器１５から薬剤を取り出すことができるようになると、作業者は薬剤の取り揃えが可能になる。
【００８９】
次に、薬剤管理装置１０を用いた薬剤取り揃え中の動作について説明する。
【００９０】
本実施の形態１では、薬剤管理装置１０を用いて取り揃えを行う場合、作業者が二人存在しなければ、薬剤の取り揃え作業が続けられない構成にしている。具体的には、一人は必ず第１の作業エリア３０に存在し、他の一人は第２の作業エリア３１に存在しなければ、薬剤の取り揃え作業ができなくなる。
【００９１】
よって、本実施の形態１の薬剤管理装置１０を用いて取り揃え作業を行う場合、一人の作業者が取り揃え作業を行い、もう一人の作業者が近くにいる状態になるので、必ず二人の作業者によるダブルチェックがなされるようになる。
【００９２】
図１６に示すフローチャートを用いて、薬剤取り揃え中に行われる作業条件の判断処理について説明する。
【００９３】
タグ検出部１４は、検出可能な距離にある作業者の名札１８に埋め込まれたＩＤタグを検出し、ＩＤタグに記録されている作業者番号と検出したＩＤタグの検出位置とを、管理部２２へ送信する（Ｓ１１）。
【００９４】
この時、同時に複数のＩＤタグの検出を行うことが可能であるが、ここでは二人の作業者のＩＤタグを検出し、二人の作業者番号および作業位置が管理部２２へ送られる。
【００９５】
管理部２２は、タグ検出部１４から送られてくる二人の作業者の作業者番号および作業位置から、薬剤管理装置１０の作業条件（薬剤の取り揃え作業をしてもよい条件）を満たすか否かを判別する（Ｓ１２）。
【００９６】
ここで言う、薬剤管理装置１０の作業条件とは、次の２つの項目を同時に満たすことである。
（作業条件１）検出された複数の作業者の作業者番号が、いずれも利用者記録部２４に記録されている。
（作業条件２）検出された複数の作業者の作業位置が第１の作業エリア３０および第２の作業エリア３１を併せたエリア内にあり、そのうちの一人の作業位置が第１の作業エリア３０にある。
【００９７】
なお、薬剤管理装置１０の作業条件を満たす場合における作業者の配置の一例は、図１２および図１３に示した開錠条件を満たす場合の作業者の配置の一例と同じであるため、その詳細な説明は繰り返さない。また、薬剤管理装置１０の作業条件を満たさない場合における作業者の配置の一例は、図１４および図１５に示した開錠条件を満たさない場合の作業者の配置の一例と同じであるため、その詳細な説明は繰り返さない。
【００９８】
作業条件を満たしていれば（Ｓ１２でＹＥＳ）、管理部２２は、作業終了後に作業者が操作部１６の終了ボタンを押すことにより操作部１６より発信される終了信号の検出を行う（Ｓ１３）。
【００９９】
作業の終了信号を検出しなければ（Ｓ１４でＮＯ）、Ｓ１１に戻り、管理部２２は、薬剤管理装置１０の作業条件を満たしているか否かを、繰り返し判別する。
【０１００】
作業の終了信号を検出すると（Ｓ１４でＹＥＳ）、管理部２２は、シャッター駆動部１７へシャッター１２を下げるように指示を出す（Ｓ１５）。すると、シャッター１２は下がり、薬剤保管庫１１の蓋をする。管理部２２は、施錠部１３へシャッター１２を施錠するように指示を出す（Ｓ１６）。
【０１０１】
作業条件を満たしていなければ（Ｓ１２でＮＯ）、管理部２２は、警報信号発信部２３へ警報信号の発信を指示する（Ｓ１７）。指示を受けた警報信号発信部２３は、警報信号を発信する。管理部２２は、一定時間待機した後（Ｓ１８）、Ｓ１５以降の処理を行なう。
【０１０２】
このように作業条件を満たしていれば、作業者は収納容器１５の中にある薬剤の取出しが可能であり、薬剤の取り揃えを行うことができる。また、作業を終了する時は、作業者は終了ボタンが押すことで、薬剤管理装置１０を閉状態とすることができる。
【０１０３】
なお、管理部２２からの指示により、警報信号発信部２３より警報信号が発信されると、薬剤管理装置１０の警報音発信部（図示せず）へ警報信号が送られ、警報音発信部から警報音が鳴る。警報音が鳴ることで、薬剤管理装置１０の周囲に向けて、二人の作業者による薬剤取り揃えが行われていないことが知らされる。
【０１０４】
また、警報信号発信部２３から警報信号が発信されると、シャッター駆動部１７が警報信号を受けて、自動的にシャッター１２を下げて薬剤保管庫１１を閉じ、さらに、施錠部１３でシャッター１２を施錠して、薬剤の取り揃えができないようにする。
【０１０５】
次に、薬剤管理装置１０および監査装置５０を用いた薬剤監査中の動作について説明する。
【０１０６】
薬剤監査を行う人は、薬剤監査の資格を有する人でなければならない。薬剤監査の資格を有する人とは、例えば薬剤師の資格を有する人である。本実施の形態１では、利用者登録部２１に作業者番号が登録されている作業者は、薬剤師の資格を有するものとする。
【０１０７】
本実施の形態１では、第２の作業エリア３１内に薬剤の監査を許可された作業者である監査者が少なくとも一人存在するという監査条件を満たす場合に、薬剤管理装置１０が監査装置５０による監査結果を受け付ける。なお、薬剤監査と薬剤取り揃えとは、並行して行われる。
【０１０８】
図１７に示すフローチャートを用いて、薬剤監査中に行われる監査条件の判断処理について説明する。
【０１０９】
作業者が監査結果入力部５１を用いて監査結果を入力すると、制御部５３から監査信号受信部２５に対して監査結果を示す監査信号が送信される。
【０１１０】
管理部２２は、監査信号受信部２５が監査信号を受信したか否かを検出する（Ｓ２１）。監査信号を検出していなければ（Ｓ２２でＮＯ）、Ｓ２１に戻る。
【０１１１】
監査信号を検出していれば（Ｓ２２でＹＥＳ）、タグ検出部１４は、検出可能な距離にある作業者の名札１８に埋め込まれたＩＤタグを検出し、ＩＤタグに記録されている作業者番号と検出したＩＤタグの検出位置とを、管理部２２へ送信する（Ｓ２３）。
【０１１２】
この時、同時に複数のＩＤタグの検出を行うことが可能であるが、ここでは二人の作業者のＩＤタグを検出し、二人の作業者番号および作業位置が管理部２２へ送られる。
【０１１３】
管理部２２は、タグ検出部１４から送られてくる二人の作業者の作業者番号および作業位置から、薬剤の監査条件（薬剤の監査をしてもよい条件）を満たすか否かを判別する（Ｓ２４）。
【０１１４】
ここで言う、薬剤の監査条件とは、次の２つの項目を同時に満たすことである。
（監査条件１）第２の作業エリア３１内に少なくとも一人の作業者が存在している。
（監査条件２）第２の作業エリア３１内に存在する少なくとも一人の作業者の作業者番号が、利用者登録部２１に登録されている。
【０１１５】
薬剤の監査条件を満たしていれば（Ｓ２４でＹＥＳ）、管理部２２は、監査信号受信部２５が受信した監査信号を監査信号記録部２６に記録する（Ｓ２５）。これにより、監査者による監査結果が受け付けられる。
【０１１６】
薬剤の監査条件を満たしていなければ（Ｓ２４でＮＯ）、管理部２２は、監査信号受信部２５が受信した監査信号を監査信号記録部２６に記録することはせずに、処理を終了する。
【０１１７】
このように、利用者登録部２１に登録された作業者番号を有する作業者が第２の作業エリア３１内にいる場合にのみ、薬剤管理装置１０は監査結果を受け付けることができる。よって、他者が監査を行う不正な監査を防止することができる。
【０１１８】
なお、監査装置５０を第２の作業エリア３１内でかつ第１の作業エリア３０外に設置することとし、上記（監査条件１）の代わりに、第２の作業エリア３１内でかつ第１の作業エリア３０外に少なくとも一人の作業者が存在していることを条件としても良い。これにより、薬剤管理装置１０の位置と監査装置５０の位置とを明確に分離できるため、監査装置５０を操作している作業者の作業者番号を正確に特定することができる。これにより、他者が監査を行う不正な監査を防止することができる。
【０１１９】
以上説明したように、本実施の形態１に係る薬剤管理装置１０を用いると、所定のエリア内に作業者が二人以上いなければ薬剤取り揃え作業ができない。このため、薬剤の取り揃えが、二人以上の作業者によって確実にダブルチェックされる薬剤管理装置を提供することができる。
【０１２０】
また、本実施の形態１では、薬剤取り揃え中は、取り揃え作業を行わない一方の作業者は第１の作業エリア３０または第２の作業エリア３１にいればよいとしている。このことにより、薬剤取り揃えの監査を行う一方の作業者は、他方の作業者の薬剤取り揃え作業の邪魔にならない位置で監査を行うことができる。
【０１２１】
なお、本実施の形態１においては、薬剤保管庫１１が利用できない状態（収納容器１５から薬剤を取り出せない状態）にするために、シャッター１２を下げて施錠している。しかし、薬剤保管庫１１が利用できない状態、すなわち、薬剤保管庫１１を施錠した状態にするために、シャッター１２を用いず、収納容器１５自体を施錠してもよい。以下の実施の形態も含め、本発明においては、これらを総称して薬剤保管庫１１を施錠する、と称する。
【０１２２】
また、本実施の形態１においては、二人の作業者による薬剤取り揃えが行われていない場合に、警報音により警告している。しかしながら、周囲への警告方法はこの方法に限らず、たとえば、監視所（図示せず）に情報を発信する方法や、薬剤管理装置１０に取り付けられた発光部（図示せず）を発光させる方法などで、警告することが可能である。
【０１２３】
（実施の形態２）
本発明の実施の形態２における薬剤管理装置３３は、カメラ３２の画像により作業者の識別および作業位置の検出を行う。
【０１２４】
前述の実施の形態１の薬剤管理装置１０は、作業者の名札１８に埋め込まれたＩＤタグ等より作業者の識別および作業者の作業位置を検出していたため、他者の名札を利用することで他者に成り済まして作業を行うことが可能である。
【０１２５】
本実施の形態２では、作業者の識別にカメラで撮影された画像を利用することで、他者の名札を利用する成り済ましを防ぐことができる。
【０１２６】
図１８は、本実施の形態２における薬剤管理装置３３の斜視図である。
【０１２７】
薬剤管理装置３３は、薬剤保管庫１１と、薬剤保管庫１１のシャッター１２を開錠および施錠する施錠部１３と、薬剤保管庫１１の前方に立つ作業者を撮影するカメラ３２とを備える。
【０１２８】
薬剤管理装置３３は、さらに、カメラ３２で撮影された画像より二人の作業者の顔画像および作業位置を検出する画像解析部と、薬剤保管庫の利用が許可された顔画像を登録した利用者登録部と、画像解析部で検出された顔画像が利用者登録部に登録されているか否かを識別する管理部と、警報信号を発信する警報信号発信部と、監査装置から監査信号を受信する監査信号受信部と、監査信号受信部が受信した監査信号を記録する監査信号記録部とを備える。なお、画像から作業者の顔画像および作業位置を検出する処理については、従来提案されている手法を用いることができるため、その詳細な説明は省略する。
【０１２９】
薬剤保管庫１１のシャッター１２が施錠されている状態で、画像解析部が２つの顔画像を同時に検出し、検出した２つの顔画像の二人の作業者が揃って利用者登録部に登録されており、一方の作業者の作業位置が第１の作業エリア３０にあり、他方の作業者の作業者位置が第１の作業エリア３０または第２の作業エリア３１にあるという開錠条件を満たせば、施錠部１３は薬剤保管庫１１のシャッター１２を開錠する。
【０１３０】
また、薬剤保管庫１１のシャッター１２が開錠している状態で、画像解析部により２つの顔画像を同時に検出し、検出した２つの顔画像の二人の作業者が揃って利用者登録部に登録されており、一方の作業者の作業位置が第１の作業エリア３０にあり、他方の作業者の作業者位置が第１の作業エリア３０または第２の作業エリア３１にあるという薬剤管理装置３３の作業条件を満たさない場合に、警報信号発信部が警報信号を発信する。
【０１３１】
さらに、画像解析部により２つの顔画像を同時に検出し、検出した２つの顔画像のうちの１つの顔画像の一人の作業者が利用者登録部に登録されており、かつ、第２作業エリアにあるという監査条件を満たす場合に、監査信号受信部が受信した監査信号を、管理部が監査信号記録部に記録する。
【０１３２】
このように、薬剤管理装置３３は、作業者の識別にカメラで撮影された画像を利用することで、他者の名札（ＩＤタグ）を用いた成り済ましを防ぐことができる。
【０１３３】
（実施の形態３）
本発明の実施の形態３における薬剤管理装置４０は、作業者を取り揃え者と監査者に分け、取り揃え者と監査者によるダブルチェックが可能になった時に、取り揃えや監査といった調剤作業が可能になる。
【０１３４】
医療機関では薬剤の取り揃え作業を、取り揃え者と監査者とを明確に分ける場合がある。本実施の形態３の薬剤管理装置４０は、そのような場合にも対応できるようにした薬剤管理装置である。ここで、監査者は、薬剤監査の資格を有する者であり、具体的には、薬剤師の資格を有する者である。
【０１３５】
図１９は、本実施の形態３における薬剤管理装置の機能的な構成を示すブロック図である。
【０１３６】
薬剤管理装置４０は、薬剤保管庫１１と、施錠部１３と、タグ検出部１４とを備える。
【０１３７】
薬剤保管庫１１、施錠部１３およびタグ検出部１４は、前述の実施の形態１に示したのと同様の構成を有するため、その詳細な説明はここでは繰り返さない。
【０１３８】
薬剤管理装置４０は、さらに、第１の認証者登録部４１と、第１の認証者記録部４２と、第２の認証者登録部４４と、第２の認証者記録部４５と、管理部４９と、警報信号発信部２３と、監査信号受信部２５と、監査信号記録部２６とを備える。
【０１３９】
第１の認証者登録部４１は、第１の認証者として薬剤保管庫１１の利用が許可された作業者の作業者情報（作業者番号）を登録している。図２０は、第１の認証者登録部４１に登録されている薬剤保管庫１１の利用が許可された作業者の作業者情報の一例を示す図である。図２０に示すように、薬剤保管庫１１の利用が許可された作業者の作業者番号として、「ｘｘｘ」、「ｙｙｙ」および「ｚｚｚ」が登録されている。
【０１４０】
第１の認証者記録部４２は、薬剤保管庫１１を利用している第１の認証者の作業者情報を記録する。
【０１４１】
第１の判別部４３は、タグ検出部１４で検出された作業者情報が第１の認証者登録部４１、または、第１の認証者記録部４２に登録されているか否かを判別する。
【０１４２】
第２の認証者登録部４４は、第２の認証者として監査装置５０の利用が許可された作業者情報を登録している。図２１は、第２の認証者登録部４４に登録されている監査装置５０の利用が許可された作業者の作業者情報の一例を示す図である。図２１に示すように、監査装置５０の利用が許可された作業者の作業番号として、「ｘｘｘ」および「ｙｙｙ」が登録されている。
【０１４３】
第２の認証者記録部４５は、監査装置５０を利用している第２の認証者の作業者情報を記録する。
【０１４４】
第２の判別部４６は、タグ検出部１４で検出された作業者情報が第２の認証者登録部４４または第２の認証者記録部４５に登録されているか否かを判別する。
【０１４５】
管理部４９は、薬剤管理装置４０を構成する各構成要素を管理するための処理を行なう。管理部４９は、後述する、第１の判別部４３及び第２の判別部４６を含む。
【０１４６】
警報信号発信部２３、監査信号受信部２５および監査信号記録部２６は、実施の形態１に示したのと同様の構成を有するため、その詳細な説明はここでは繰り返さない。
【０１４７】
実施の形態３の薬剤管理装置４０は、薬剤保管庫１１が施錠されている状態で、開錠条件を満たしていれば、施錠部１３は薬剤保管庫１１のシャッター１２を開錠する。開錠条件とは、タグ検出部１４により検出された二人の作業者の作業者情報のうち、一方が第１の認証者登録部４１に登録されると共に、その作業者情報を有する作業者が第１の作業エリアにおり、且つ他方が第２の認証者登録部４４に登録されると共に、その作業者情報を有する作業者が第２の作業エリアにいるという条件である。
【０１４８】
また、本実施の形態３の薬剤保管庫１１のシャッター１２が開錠している状態で、薬剤管理装置１０の作業条件を満たさないと、警報信号発信部２３は警報信号を発信する。この薬剤管理装置１０の作業条件とは、タグ検出部１４により検出された二人の作業者の作業者情報のうち、一方が第１の認証者登録部４１に登録されると共に、その作業者情報を有する作業者が第１の作業エリアにおり、且つ他方が第２の認証者登録部４４に登録されると共に、その作業者情報を有する作業者が第２の作業エリアにいるという条件である。
【０１４９】
さらに、タグ検出部１４により検出された二人の作業者の作業者情報のうち、一人の作業者情報が第２の認証者登録部４４に登録されると共に、その作業者情報を有する作業者が第２の作業エリアにいるという監査条件を満たす場合に、監査信号受信部２５が受信した監査信号を、管理部４９が監査信号記録部２６に記録する。
【０１５０】
なお、上述した第１の認証者とは薬剤取り揃え者であり、第２の認証者とは監査者である。薬剤取り揃え者とは、薬剤管理装置４０を利用して薬剤の取り揃えを行ってもよいと許可を受けた者である。監査者とは、薬剤取り揃え者の作業の監査することの許可を受けた者である。薬剤取り揃え者および監査者は作業者であり、それぞれの医療機関によって決めることが可能である。
【０１５１】
次に、図２２に示すフローチャートを用いて、薬剤取り揃え開始時に行われる開錠条件の判断処理について説明する。
【０１５２】
タグ検出部１４は、検出可能な位置にある作業者がつける名札１８に埋め込まれたＩＤタグを検出し、ＩＤタグに記録されている作業者番号と検出したＩＤタグの検出位置とを、管理部４９へ送信する（Ｓ３１）。この時、同時に複数のＩＤタグの検出が行うことが可能であるが、ここでは二人の作業者のＩＤタグを検出した場合について説明する。
【０１５３】
管理部４９の第１の判別部４３および第２の判別部４６は、タグ検出部１４から送られてくる二人の作業者の作業者番号および作業位置が、施錠部１３によるシャッター１２の開錠条件を満たすか否かを判別する（Ｓ３２）。
【０１５４】
ここで言う、開錠条件とは次の２つの項目を同時に満たすことである。
（開錠条件１）検出された一人（一方）の作業者の作業者番号が第１の認証者登録部４１に登録されており、その作業位置が第１の作業エリア３０にある。
（開錠条件２）検出された一人（他方）の作業者の作業者番号が第２の認証者登録部４４に登録されており、その作業位置が第２の作業エリア３１にある。
【０１５５】
つまり、取り揃え者が第１の作業エリア３０におり、監査者が第２の作業エリア３１にいることが開錠条件である。
【０１５６】
２つの項目を同時に満たさなければ（Ｓ３２でＮＯ）、開錠条件を満たしていないとして、Ｓ３１に戻る。そして、管理部４９は、タグ検出部１４から送られてくる作業者番号および作業位置が、開錠条件を満たすか否かの判別を繰り返し行う。
【０１５７】
開錠条件を満たしていれば（Ｓ３２でＹＥＳ）、管理部４９は施錠部１３へシャッター１２を開錠するように指示を出す（Ｓ３３）。施錠部１３は、管理部４９からの指示を受けて、シャッター１２の鍵を開く。
【０１５８】
管理部４９はシャッター駆動部１７へ、シャッター１２を上げて薬剤保管庫１１を開くように指示を出す（Ｓ３４）。シャッター駆動部１７は、管理部４９の指示に従い、シャッター１２を上げて、薬剤保管庫１１が開いた状態とする。
【０１５９】
管理部４９は、検出された第１の認証者（取り揃え者）の作業者番号を第１の認証者記録部４２に記録し、検出された第２の認証者（監査者）の作業者番号を第２の認証者記録部４５に記録する（Ｓ３５）。
【０１６０】
このように、シャッター１２が開き、収納容器１５から薬剤を取り出すことができるようになると、取り揃え者は薬剤の取り揃えが可能になる。
【０１６１】
次に、薬剤管理装置４０を用いた薬剤取り揃え中の動作について説明する。
【０１６２】
薬剤管理装置４０を用いて取り揃えを行うには、第１の認証者と第２の認証者とが同時に存在する必要がある。具体的には、第１の認証者は必ず第１の作業エリア３０に存在し、第２の認証者は第２の作業エリア３１に存在する必要がある。本実施の形態３の薬剤管理装置４０では、第１の認証者と第２の認証者が同時に存在しなければ、薬剤の取り揃え作業ができなくなる。
【０１６３】
よって、薬剤管理装置４０を用いて取り揃え作業を行う場合、第１の認証者と第２の認証者が存在しないと薬剤保管庫１１が開かないので、必ずダブルチェックがなされる。
【０１６４】
図２３に示すフローチャートを用いて、薬剤取り揃え中に行われる作業条件の判断処理について説明する。
【０１６５】
タグ検出部１４は、検出可能な距離にある作業者の名札１８に埋め込まれたＩＤタグを検出し、ＩＤタグに記録されている作業者番号と検出したＩＤタグの検出位置とを、管理部４９へ送信する（Ｓ４１）。
【０１６６】
この時、同時に複数のＩＤタグの検出が行うことが可能であるが、ここでは二人の作業者のＩＤタグを検出し、二人の作業者番号および作業位置を管理部４９へ送っている。
【０１６７】
管理部４９の第１の判別部４３および第２の判別部４６は、タグ検出部１４から送られてくる二人の作業者の作業者番号および作業位置から、薬剤管理装置４０の作業条件（薬剤の取り揃え作業をしてもよい条件）を満たすか否かを判別する（Ｓ４２）。
【０１６８】
ここで言う、薬剤管理装置４０の作業条件とは、次の２つの項目を同時に満たすことである。
（作業条件１）検出された第１の認証者の作業者番号が第１の認証者記録部４２に記録されており、作業位置が第１の作業エリア３０にある。
（作業条件２）検出された第２の認証者の作業者番号が第２の認証者記録部４５に記録されており、作業位置が第２の作業エリア３１にある。
【０１６９】
作業条件を満たしていれば（Ｓ４２でＹＥＳ）、管理部４９は、作業終了後に取り揃え者が操作部１６の終了ボタンを押すことにより操作部１６より発信される終了信号の検出を行う（Ｓ４３）。
【０１７０】
作業の終了信号を検出しなければ（Ｓ４４でＮＯ）、Ｓ４１に戻り、管理部４９は、薬剤管理装置４０の作業条件を満たしているか否かを、繰り返し判別する。
【０１７１】
作業の終了信号を検出すると（Ｓ４４でＹＥＳ）、管理部４９は、シャッター駆動部１７へシャッター１２を下げるように指示を出す（Ｓ４５）。すると、シャッター１２は下がり、薬剤保管庫１１を閉状態とする。管理部４９は、施錠部１３へシャッター１２を施錠するように指示を出す（Ｓ４６）。
【０１７２】
作業条件を満たしていなければ（Ｓ４２でＮＯ）、管理部４９は、警報信号発信部２３へ警報信号の発信を指示する（Ｓ４７）。指示を受けた警報信号発信部２３は、警報信号を発信する。管理部４９は、一定時間待機した後（Ｓ４８）、Ｓ４５以降の処理を行なう。
【０１７３】
このように作業条件を満たしていれば、作業者は収納容器１５の中にある薬剤の取出しが可能であり、薬剤の取り揃えを行うことができる。また、作業を終了する時は、作業者は終了ボタンが押すことで、薬剤管理装置４０を閉状態とすることができる。
【０１７４】
なお、管理部４９からの指示により、警報信号発信部２３より警報信号が発信されると、薬剤管理装置４０の警報音発信部（図示せず）へ警報信号が送られ、警報音発信部から警報音がなり、周囲に二人による薬剤取り揃えが行われていないことが知らされる。
【０１７５】
また、警報信号発信部２３から警報信号が発信すると、シャッター駆動部１７が警報信号を受けて、自動的にシャッター１２を下げて薬剤保管庫１１を閉じ、さらに、施錠部１３によりシャッター１２を施錠して、薬剤の取り揃えができないようにする。
【０１７６】
次に、薬剤管理装置４０および監査装置５０を用いた薬剤監査中の動作について説明する。
【０１７７】
監査者は薬剤監査の資格を有する者でなければならない。薬剤監査の資格を有する者とは、例えば薬剤師の資格を有する者である。本実施の形態３では、第２の認証者登録部４４に作業者番号が登録されている作業者は薬剤師の資格を有するものとする。
【０１７８】
本実施の形態３では、薬剤の監査を許可された作業者である監査者が第２の作業エリア３１内に少なくとも一人存在するという監査条件を満たす場合に、薬剤管理装置４０が監査装置５０による監査結果を受け付ける。なお、薬剤監査と薬剤取り揃えとは並行して行われる。
【０１７９】
図２４に示すフローチャートを用いて、薬剤監査中に行われる監査条件の判断処理について説明する。
【０１８０】
作業者が監査結果入力部５１を用いて監査結果を入力すると、制御部５３から監査信号受信部２５に対して監査結果を示す監査信号が送信される。
【０１８１】
管理部４９は、監査信号受信部２５が監査信号を受信したか否かを検出する（Ｓ５１）。監査信号を検出していなければ（Ｓ５２でＮＯ）、Ｓ５１に戻る。
【０１８２】
監査信号を検出していれば（Ｓ５２でＹＥＳ）、タグ検出部１４は、検出可能な距離にある作業者の名札１８に埋め込まれたＩＤタグを検出し、ＩＤタグに記録されている作業者番号と検出したＩＤタグの検出位置とを、管理部４９へ送信する（Ｓ５３）。
【０１８３】
この時、同時に複数のＩＤタグの検出を行うことが可能であるが、ここでは二人の作業者のＩＤタグを検出し、二人の作業者番号および作業位置を管理部４９へ送っている。
【０１８４】
管理部４９の第２の判別部４６は、タグ検出部１４から送られてくる二人の作業者の作業者番号および作業位置から、薬剤の監査条件（薬剤の監査をしてもよい条件）を満たすか否かを判別する（Ｓ５４）。
【０１８５】
ここで言う、薬剤の監査条件とは、次の２つの項目を同時に満たすことである。
（監査条件１）第２の作業エリア３１内に少なくとも一人の作業者が存在している。
（監査条件２）第２の作業エリア３１内に存在する少なくとも一人の作業者の作業者番号が、第２の認証者登録部４４に登録されている。
【０１８６】
ここで、薬剤の監査条件を満たす場合と満たさない場合の作業者の配置の一例について説明する。
【０１８７】
図２５に示すように、第２の作業エリア３１内に薬剤監査の資格を有する者（薬剤師）がいる場合には、薬剤の監査条件を満たすと判断される。
【０１８８】
図２６に示すように、第２の作業エリア３１内に薬剤監査の資格を有する者（薬剤師）がいない場合には、薬剤の監査条件を満たさないと判断される。図２６に示す取り揃え者は薬剤師の資格を持たない。
【０１８９】
薬剤の監査条件を満たしていれば（Ｓ５４でＹＥＳ）、管理部４９は、監査信号受信部２５が受信した監査信号を監査信号記録部２６に記録する（Ｓ５５）。これにより、監査者による監査結果が受け付けられる。
【０１９０】
薬剤の監査条件を満たしていなければ（Ｓ５４でＮＯ）、管理部４９は、監査信号受信部２５が受信した監査信号を監査信号記録部２６に記録することはせずに、処理を終了する。
【０１９１】
このように、第２の認証者登録部４４に登録された作業者番号を有する作業者が第２の作業エリア３１内にいる場合にのみ、薬剤管理装置４０は監査結果を受け付けることができる。
【０１９２】
なお、第２の作業エリア３１内でかつ第１の作業エリア３０外に監査装置５０を設置することとし、（監査条件１）の代わりに、第２の作業エリア３１内でかつ第１の作業エリア３０外に少なくとも一人の作業者が存在していることを条件としても良い。これにより、薬剤管理装置４０の位置と監査装置５０の位置とを明確に分離できるため、監査装置５０を操作している作業者の作業者番号を正確に特定することができる。
【０１９３】
以上説明したように、実施の形態３に係る薬剤管理装置４０を用いると、ダブルチェックを行うための二人の役割分担を明確に分けた場合であっても、二人の作業者によって、確実にダブルチェックされる薬剤管理装置を提供することができる。
【０１９４】
なお、薬剤管理装置４０は、タグ検出部１４により作業者の識別および作業位置の検出を行っているが、実施の形態２と同様に、タグ検出部１４の代わりにカメラおよび画像解析部を設けることで、カメラの画像により作業者の識別および作業位置の検出を行ってもよい。
【０１９５】
以上、本発明の実施の形態に係る薬剤管理装置および監査装置について説明したが、本発明は、この実施の形態に限定されるものではない。
【０１９６】
実施の形態１〜３では、作業者の数を二人としたが、それに限定されるものではなく、三名以上いた場合であっても、上記開錠条件、作業条件および監査条件に従った処理を行なうことが可能である。
【０１９７】
また、実施の形態１〜３では、薬剤の取り揃えを行うための薬剤管理装置と取り揃えられた薬剤を監査するための監査装置とが別体として設けられているが、薬剤管理装置内に監査装置の機能が備わっていてもよい。以下の変形例１および２で詳細に説明する。
【０１９８】
（変形例１）
図２７は、実施の形態１に係る薬剤管理装置１０に監査装置の機能が備えられた薬剤管理装置の機能的な構成を示すブロック図である。
【０１９９】
薬剤管理装置６０は、実施の形態１に係る薬剤管理装置１０の構成において、監査信号受信部２５および監査信号記録部２６の代わりに、監査結果入力部６５および監査信号記録部６６を備える。
【０２００】
監査結果入力部６５は、監査者が監査結果を入力するためインタフェースであり、例えば、ボタンなどから構成される。
【０２０１】
監査信号記録部６６は、監査結果入力部６５から入力された監査結果を示す監査信号を記録する。
【０２０２】
この構成において、実施の形態１と同様の処理が行なわれる。開錠条件および薬剤管理装置６０の作業条件は実施の形態１と同様である。
【０２０３】
つまり、鍵が閉じている状態において、図２８および図２９に示す状態では開錠条件を満たし、図３０および図３１に示す状態では開錠条件を満たさない。
【０２０４】
つまり、図２８に示すように第１の作業エリア３０内に作業者がおり、第２の作業エリア３１内に作業者がいる場合には、開錠条件を満たすと判断される。ここで、作業者とは、作業者番号が利用者登録部２１に登録された者である。
【０２０５】
また、図２９に示すように、第１の作業エリア３０内に二人の作業者がいる場合も、開錠条件を満たすと判断される。ここで、二人の作業者とは、作業者番号が利用者登録部２１に登録された者である。
【０２０６】
また、図３０に示すように、第２の作業エリア３１内であって第１の作業エリア３０外に二人の作業者がいる場合には、開錠条件を満たさないと判断される。ここで、二人の作業者とは、作業者番号が利用者登録部２１に登録された者である。
【０２０７】
また、図３１に示すように、第１の作業エリア３０内に一人の作業者がいるものの、第２の作業エリア３１内には作業者がいない場合には、開錠条件を満たさないと判断される。ここで、作業者とは、作業者番号が利用者登録部２１に登録された者である。
【０２０８】
薬剤管理装置６０の作業条件も同様に、開錠状態において、図２８および図２９に示す状態では作業条件を満たし、図３０および図３１に示す状態では作業条件を満たさない。
【０２０９】
薬剤の監査条件については、実施の形態１と異なる。つまり、実施の形態１では、監査装置５０が第２エリアに設置されていたが、本変形例１では薬剤の監査が第１エリアに設置されている薬剤管理装置６０を利用して行われる。このため、本変形例１で言う、薬剤の監査条件とは、次の２つの項目を同時に満たすことである。
（監査条件１´）第１の作業エリア３０内に少なくとも一人の作業者が存在している。
（監査条件２´）第１の作業エリア３０内に存在する少なくとも一人の作業者の作業者番号が、利用者登録部２１に登録されている。
【０２１０】
管理部２２は、この監査条件が満たされる場合に、監査結果入力部６５から入力された監査結果を示す監査信号を監査信号記録部６６に記録し、監査条件が満たされない場合には、監査結果入力部６５から入力された監査結果を示す監査信号を破棄し、監査信号記録部６６には記録しない。
【０２１１】
（変形例２）
図３２は、実施の形態３に係る薬剤管理装置４０に監査装置の機能が備えられた薬剤管理装置の機能的な構成を示すブロック図である。
【０２１２】
薬剤管理装置７０は、実施の形態３に係る薬剤管理装置４０の構成において、監査信号受信部２５および監査信号記録部２６の代わりに、監査結果入力部６５および監査信号記録部６６を備える。
【０２１３】
監査結果入力部６５および監査信号記録部６６は、変形例１に示したものと同様であるため、その詳細な説明は繰り返さない。
【０２１４】
この構成において、実施の形態３と同様の処理が行なわれる。開錠条件および薬剤管理装置７０の作業条件は実施の形態３と同様である。
【０２１５】
薬剤の監査条件については、実施の形態３と異なる。つまり、実施の形態３では、監査装置５０が第２エリアに設置されていたが、本変形例２では薬剤の監査が第１エリアに設置されている薬剤管理装置７０を利用して行われる。このため、本変形例２で言う、薬剤の監査条件とは、次の２つの項目を同時に満たすことである。
（監査条件１´´）第１の作業エリア３０内に少なくとも一人の作業者が存在している。
（監査条件２´´）第１の作業エリア３０内に存在する少なくとも一人の作業者の作業者番号が、第２の認証者登録部４４に登録されている。
【０２１６】
管理部４９は、この監査条件が満たされる場合に、監査結果入力部６５から入力された監査結果を示す監査信号を監査信号記録部６６に記録し、監査条件が満たされない場合には、監査結果入力部６５から入力された監査結果を示す監査信号を破棄し、監査信号記録部６６には記録しない。
【０２１７】
ここで、薬剤の監査条件を満たす場合と満たさない場合の作業者の配置の一例について説明する。
【０２１８】
図３３に示すように、第１の作業エリア３０内に薬剤監査の資格を有する者（薬剤師）がいる場合には、薬剤の監査条件を満たすと判断される。
【０２１９】
図３４に示すように、第１の作業エリア３０内に薬剤監査の資格を有する者（薬剤師）がいない場合には、薬剤の監査条件を満たさないと判断される。図３４に示す取り揃え者は薬剤師の資格を持たない。
【０２２０】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０２２１】
さらに、上記の各装置を構成する構成要素の一部または全部は、１個のシステムＬＳＩ（Large Scale Integration：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０２２２】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０２２３】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０２２４】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Blu-ray Disc（登録商標））、半導体メモリなどに記録したものとしても良い。また、これらの非一時的な記録媒体に記録されている上記デジタル信号であるとしても良い。
【０２２５】
また、本発明は、上記コンピュータプログラムまたは上記デジタル信号を、電気通信回線、無線または有線通信回線、インターネットを代表とするネットワーク、データ放送等を経由して伝送するものとしても良い。
【０２２６】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０２２７】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０２２８】
さらに、上記実施の形態及び上記変形例をそれぞれ組み合わせるとしても良い。
【０２２９】
なお、本発明の薬剤管理装置の必須構成要素は、薬剤保管庫１１と、施錠部１３と、タグ検出部１４と、管理部２２とであり、それ以外の構成要素は薬剤管理装置に備わっているのが望ましい。
【０２３０】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２３１】
本発明は、薬剤の管理を行う薬剤管理装置の制御方法および薬剤管理装置等に適用でき、特に、薬剤取り揃え作業を行うためにダブルチェックを必要とする薬剤の取り揃え作業に有用である。
【符号の説明】
【０２３２】
１０、３３、４０、６０、７０  薬剤管理装置
１１  薬剤保管庫
１２  シャッター
１３  施錠部
１４  タグ検出部
１５  収納容器
１６  操作部
１７  シャッター駆動部
１８  名札
１９  ＩＣ
２０  アンテナ
２１  利用者登録部
２２、４９  管理部
２３  警報信号発信部
２４  利用者記録部
２５  監査信号受信部
２６、６６  監査信号記録部
３０  第１の作業エリア
３１  第２の作業エリア
３２  カメラ
３９  緩衝エリア
４１  第１の認証者登録部
４２  第１の認証者記録部
４３  第１の判別部
４４  第２の認証者登録部
４５  第２の認証者記録部
４６  第２の判別部
５０  監査装置
５１  監査結果入力部
５２  表示部
５３  制御部
６５  監査結果入力部
【手続補正２】
【補正対象書類名】特許請求の範囲
【補正対象項目名】全文
【補正方法】変更
【補正の内容】
【特許請求の範囲】
【請求項１】
薬剤保管庫と、作業者を識別するための作業者情報および前記作業者の作業位置を検出する検出部とを備える薬剤管理装置の制御方法であって、
前記薬剤管理装置の設置位置を含む第１の作業エリアと、前記薬剤管理装置を操作する前記作業者を直接視認可能な位置を含む第２の作業エリアとが予め設定されており、
作業者の作業者情報および作業位置を検出する検出ステップと、
前記検出ステップでの検出結果に基づいて、前記薬剤保管庫が施錠されている状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという開錠条件を満たすか否かを判断する開錠条件判断ステップと、
前記開錠条件判断ステップにおいて前記開錠条件を満たすと判断された場合に、前記薬剤保管庫を開錠可能な状態にする開錠ステップとを含む
薬剤管理装置の制御方法。
【請求項２】
さらに、
前記検出ステップでの検出結果に基づいて、前記薬剤保管庫が開錠している状態で、前記第１の作業エリアおよび前記第２の作業エリアを併せたエリア内に前記薬剤保管庫の利用が許可された複数の作業者が存在し、かつ前記複数の作業者のうちの少なくとも一人が前記第１の作業エリア内に存在するという作業条件を満たすか否かを判断する作業条件判断ステップと、
前記作業条件判断ステップにおいて前記作業条件を満たさないと判断された場合に、警告信号を発信する警告ステップとを含む
請求項１記載の薬剤管理装置の制御方法。
【請求項３】
さらに、
前記作業条件判断ステップにおいて前記作業条件を満たさないと判断された場合に、前記薬剤保管庫を施錠する施錠ステップを含む
請求項２記載の薬剤管理装置の制御方法。
【請求項４】
前記検出ステップでは、前記作業者が有するＩＤタグに記憶されている作業者情報を非接触で読み取ることにより、前記作業者の作業者情報および作業位置を検出する
請求項１〜３のいずれか１項に記載の薬剤管理装置の制御方法。
【請求項５】
前記検出ステップでは、前記作業者を撮像した画像を解析することにより、前記作業者の作業者情報および作業位置を検出する
請求項１〜３のいずれか１項に記載の薬剤管理装置の制御方法。
【請求項６】
前記薬剤管理装置は、さらに、前記薬剤管理装置の利用を許可する作業者の利用者情報を記憶している利用者登録部を備え、
前記開錠条件判断ステップでは、前記検出ステップにおいて検出された作業者の作業者情報が前記利用者登録部に記憶されているか否かを判断することにより、前記検出ステップにおいて検出された作業者が前記薬剤保管庫の利用が許可された作業者であるか否かを判断する
請求項１〜５のいずれか１項に記載の薬剤管理装置の制御方法。
【請求項７】
前記薬剤管理装置は、さらに、前記薬剤管理装置の利用を許可する作業者の利用者情報を記憶している利用者登録部を備え、
前記作業条件判断ステップでは、前記検出ステップにおいて検出された作業者の作業者情報が前記利用者登録部に記憶されているか否かを判断することにより、前記検出ステップにおいて検出された作業者が前記薬剤保管庫の利用が許可された作業者であるか否かを判断する
請求項２または３に記載の薬剤管理装置の制御方法。
【請求項８】
前記開錠条件判断ステップでは、前記検出ステップでの検出結果に基づいて、前記薬剤保管庫が施錠されている状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという開錠条件を満たすか否かを判断する
請求項１〜７のいずれか１項に記載の薬剤管理装置の制御方法。
【請求項９】
前記薬剤管理装置は、さらに、前記第１の作業エリア内での作業を許可する作業者の利用情報を記憶している第１の認証者登録部と、前記第２の作業エリア内での作業を許可する作業者の利用情報を記憶している第２の認証者登録部とを備え、
前記開錠条件判断ステップは、
前記検出ステップにおいて検出された前記第１の作業エリア内に存在する作業者の作業者情報が前記第１の認証者登録部に記憶されているか否かを判断し、前記第１の作業エリア内に存在する作業者が前記第１の作業エリア内で作業を許可された作業者であるか否かを判断するステップと、
前記検出ステップにおいて検出された前記第２の作業エリア内に存在する作業者の作業者情報が前記第２の認証者登録部に記憶されているか否かを判断し、前記第２の作業エリア内に存在する作業者が前記第２の作業エリア内で作業を許可された作業者であるか否かを判断するステップとを含む
請求項８記載の薬剤管理装置の制御方法。
【請求項１０】
前記作業条件判断ステップでは、前記検出ステップでの検出結果に基づいて、前記薬剤保管庫が開錠している状態で、前記第１の作業エリアにおいて作業することが許可された作業者が前記第１の作業エリア内に少なくとも一人存在し、かつ前記第２の作業エリアにおいて作業することが許可された作業者が前記第２の作業エリア内に少なくとも一人存在するという作業条件を満たすか否かを判断する
請求項２または３に記載の薬剤管理装置の制御方法。
【請求項１１】
前記薬剤管理装置は、さらに、前記第１の作業エリア内での作業を許可する作業者の利用情報を記憶している第１の認証者登録部と、前記第２の作業エリア内での作業を許可する作業者の利用情報を記憶している第２の認証者登録部とを備え、
前記作業条件判断ステップは、
前記検出ステップにおいて検出された前記第１の作業エリア内に存在する作業者の作業者情報が前記第１の認証者登録部に記憶されているか否かを判断し、前記第１の作業エリア内に存在する作業者が前記第１の作業エリア内で作業を許可された作業者であるか否かを判断するステップと、
前記検出ステップにおいて検出された前記第２の作業エリア内に存在する作業者の作業者情報が前記第２の認証者登録部に記憶されているか否かを判断し、前記第２の作業エリア内に存在する作業者が前記第２の作業エリア内で作業を許可された作業者であるか否かを判断するステップとを含む
請求項１０記載の薬剤管理装置の制御方法。
【請求項１２】
前記第２の作業エリア内に作業者による監査結果を受け付ける監査装置が設けられており、
薬剤の監査を許可された作業者である監査者が前記第２の作業エリア内に少なくとも一人存在するという監査条件を満たすか否かを判断する監査条件判断ステップと、
前記監査条件判断ステップにおいて前記監査条件を満たすと判断された場合に、前記監査者による監査結果を受け付ける監査結果受け付けステップとを含む
請求項１〜１１のいずれか１項に記載の薬剤管理装置の制御方法。
【請求項１３】
前記監査装置は、前記第２の作業エリア内でかつ前記第１の作業エリア外に設けられており、
前記監査条件判断ステップでは、前記第２の作業エリア内でかつ前記第１の作業エリア外に少なくとも一人の前記監査者が存在するという監査条件を満たすか否かを判断する
請求項１２記載の薬剤管理装置の制御方法。
【請求項１４】
前記第１の作業エリア内からは作業者が前記監査装置を操作できず、かつ前記第２の作業エリアからは作業者が前記薬剤管理装置を操作できないように、前記第１の作業エリアおよび前記第２の作業エリアが予め設定されている
請求項１３記載の薬剤管理装置の制御方法。
【請求項１５】
前記第１の作業エリアと前記第２の作業エリアとの間には、いずれの作業エリアにも属さないエリアが設定されている
請求項１４記載の薬剤管理装置の制御方法。
【請求項１６】
前記薬剤管理装置は、さらに、前記監査結果を受け付ける監査結果受け付け部を備え、
前記第１の作業エリア内に少なくとも一人の薬剤の監査を許可された作業者である監査者が存在するという監査条件を満たすか否かを判断する監査条件判断ステップと、
前記監査条件判断ステップにおいて前記監査条件を満たすと判断された場合に、前記監査者による監査結果を受け付ける監査結果受け付けステップとを含む
請求項１〜１１のいずれか１項に記載の薬剤管理装置の制御方法。
【請求項１７】
前記監査条件判断ステップでは、前記第１の作業エリア内に少なくとも一人の前記監査者が存在し、かつ前記第１の作業エリア内に薬剤の監査を許可されていない作業者が存在しないという監査条件を満たすか否かを判断する
請求項１６記載の薬剤管理装置の制御方法。
【請求項１８】
薬剤を管理する薬剤管理装置であって、
薬剤保管庫と、
作業者を識別するための作業者の作業者情報および作業者の作業位置を検出する検出部と、
前記薬剤管理装置の設置位置を含む第１の作業エリアと、前記薬剤管理装置を操作する前記作業者を直接視認可能な位置を含む第２の作業エリアとが予め設定されており、前記検出部による検出結果に基づいて、前記薬剤保管庫が施錠されている状態で、前記薬剤保管庫の利用が許可された複数の作業者が前記第１の作業エリアおよび前記第２の作業エリアを併せたエリア内に存在し、かつ前記複数の作業者のうちの少なくとも一人が前記第１の作業エリア内に存在するという開錠条件を満たすか否かを判断する管理部と、
前記管理部において前記開錠条件を満たすと判断された場合に、前記薬剤保管庫を開錠可能な状態にする施錠部とを含む
薬剤管理装置。
【請求項１９】
薬剤保管庫と、作業者を識別するための作業者情報および前記作業者の作業位置を検出する検出部とを備える薬剤管理装置を制御するためのプログラムであって、
作業者の作業者情報および作業位置を検出する検出ステップと、
前記薬剤管理装置の設置位置を含む第１の作業エリアと、前記薬剤管理装置を操作する前記作業者を直接視認可能な位置を含む第２の作業エリアとが予め設定されており、前記検出ステップでの検出結果に基づいて、前記薬剤保管庫が施錠されている状態で、前記薬剤保管庫の利用が許可された複数の作業者が前記第１の作業エリアおよび前記第２の作業エリアを併せたエリア内に存在し、かつ前記複数の作業者のうちの少なくとも一人が前記第１の作業エリア内に存在するという開錠条件を満たすか否かを判断する開錠条件判断ステップと、
前記開錠条件判断ステップにおいて前記開錠条件を満たすと判断された場合に、前記薬剤保管庫を開錠可能な状態にする開錠ステップとをコンピュータに実行させるための
プログラム。
【手続補正３】
【補正対象書類名】図面
【補正対象項目名】全図
【補正方法】変更
【補正の内容】
【図１】
2011033756.tif 000037
【図２】
2011033756.tif 000038
【図３】
2011033756.tif 000039
【図４】
2011033756.tif 000040
【図５】
2011033756.tif 000041
【図６】
2011033756.tif 000042
【図７】
2011033756.tif 000043
【図８】
2011033756.tif 000044
【図９】
2011033756.tif 000045
【図１０】
2011033756.tif 000046
【図１１】
2011033756.tif 000047
【図１２】
2011033756.tif 000048
【図１３】
2011033756.tif 000049
【図１４】
2011033756.tif 000050
【図１５】
2011033756.tif 000051
【図１６】
2011033756.tif 000052
【図１７】
2011033756.tif 000053
【図１８】
2011033756.tif 000054
【図１９】
2011033756.tif 000055
【図２０】
2011033756.tif 000056
【図２１】
2011033756.tif 000057
【図２２】
2011033756.tif 000058
【図２３】
2011033756.tif 000059
【図２４】
2011033756.tif 000060
【図２５】
2011033756.tif 000061
【図２６】
2011033756.tif 000062
【図２７】
2011033756.tif 000063
【図２８】
2011033756.tif 000064
【図２９】
2011033756.tif 000065
【図３０】
2011033756.tif 000066
【図３１】
2011033756.tif 000067
【図３２】
2011033756.tif 000068
【図３３】
2011033756.tif 000069
【図３４】
2011033756.tif 000070
【国際調査報告】
2011033756.tif 000071
2011033756.tif 000072